(57)【要約】  フルイド組成物は、Ａ）分枝状オルガノポリシロキサン及びＢ）キャリアフルイドを含む。構成成分Ａ）は、ヒドロシリル化触媒の存在下でのａ）環状シロキサンとｂ）ポリオルガノシロキサンとの反応生成物を含む。構成成分ａ）は、１分子当たり少なくとも２つのケイ素結合アルケニル基を有し、構成成分ｂ）は、少なくとも１分子当たり少なくとも２個のケイ素結合水素原子を有する。フルイド組成物は、２３℃にて少なくとも１００ｍＰａ・ｓの粘度を有し、かつ粘液様のレオロジー特性を示す。粘液様のレオロジー特性は、垂直抗力（パスカル）の垂直方向のせん断速度（ｓｅｃ−１）に対するプロットとして概して記録される。フルイド組成物を含むパーソナルケア組成物も開示される。パーソナルケア組成物に処方したとき、フルイド組成物は、概して、粘液様のレオロジー特性をベースとして増強された感覚特性及びフィルム形成特性を提供する。【選択図】図１
2018512491.tif 000002
【特許請求の範囲】
【請求項１】
Ａ）
ａ）１分子当たり少なくとも２つのケイ素結合アルケニル基を有する環状シロキサンと、
ｂ）１分子当たり少なくとも２個のケイ素結合水素原子を有するポリオルガノシロキサンとの、
ヒドロシリル化触媒の存在下での反応生成物を含む、分枝状オルガノポリシロキサン、及び
Ｂ）キャリアフルイド、を含むフルイド組成物であって、
前記フルイド組成物が、２３℃にて少なくとも１００ｍＰａ・ｓの粘度を有し、かつ粘液様のレオロジー特性を示す、フルイド組成物。
【請求項２】
構成成分Ａ）を形成するべく反応させる前の、構成成分ａ）のケイ素結合アルケニル基の、構成成分ｂ）のケイ素結合水素原子に対するモル比が、約０．５／１〜約２．５／１であり、あるいは約０．９／１〜約２．２／１である、請求項１に記載のフルイド組成物。
【請求項３】
構成成分ａ）が、式：
［Ｒ１Ｒ２ＳｉＯ］ｇ
［式中、各Ｒ１は、独立して選択された置換若しくは非置換ヒドロカルビル基であり、各Ｒ２は、１分子中、少なくとも２つのＲ２基はアルケニル基であるという条件で、Ｒ１又はアルケニル基であり、「ｇ」は≧３である］を有する、請求項１又は２に記載のフルイド組成物。
【請求項４】
ｉ）各Ｒ１は、独立して選択されたＣ１−Ｃ６アルキル基であり、あるいはメチル基であり、及び／又は
ｉｉ）各Ｒ２は、独立して選択されたＣ２−Ｃ１２アルケニル基であり、あるいはビニル基であり、及び／又は
ｉｉｉ）「ｇ」は、３〜１０であり、あるいは３〜８である、請求項３に記載のフルイド組成物。
【請求項５】
「ｇ」が３〜６であり、あるいは４である、請求項３又は４に記載のフルイド組成物。
【請求項６】
構成成分ｂ）が式：
（Ｒ２ＨＳｉＯ１／２）ｖ（Ｒ２ＳｉＯ２／２）ｘ
［式中、各Ｒは、独立して選択された置換若しくは非置換ヒドロカルビル基であり、「ｖ」は≧２であり、「ｘ」は≧５０である］のシロキシ単位を含む、請求項１〜５のいずれか一項に記載のフルイド組成物。
【請求項７】
ｉ）各Ｒは、独立して選択されたＣ１−Ｃ６アルキル基であり、あるいはメチル基であり、及び／又は
ｉｉ）「ｖ」は２であり、及び／又は
ｉｉｉ）「ｘ」は≧１００であり、あるいは「ｘ」は１５０〜１０，０００である、請求項６に記載のフルイド組成物。
【請求項８】
前記構成成分ｂ）のケイ素結合水素原子が末端である、請求項１〜７のいずれか一項に記載のフルイド組成物。
【請求項９】
構成成分Ａ）が、前記フルイド組成物の１００重量部に対し約０．１〜約５０重量％、あるいは約０．１〜約４０重量％の量で存在する、請求項１〜８のいずれか一項に記載のフルイド組成物。
【請求項１０】
構成成分Ｂ）が、シリコーン、有機溶媒、有機油、及びこれらの組み合わせからなる群から選択される、請求項１〜９のいずれか一項に記載のフルイド組成物。
【請求項１１】
構成成分Ｂ）が、前記フルイド組成物の１００重量部に対し約５０〜約９９．９重量％、あるいは約８０〜約９９．９重量％の量で存在する、請求項１〜１０のいずれか一項に記載のフルイド組成物。
【請求項１２】
Ａ）
ａ）式
［Ｒ１Ｒ２ＳｉＯ］ｇ
［式中、各Ｒ１は独立して選択されたＣ１−Ｃ６アルキル基であり、各Ｒ２は、１分子中、少なくとも２つのＲ２基はアルケニル基であるという条件で、Ｒ１又はＣ２−Ｃ１２アルケニル基であり、「ｇ」は３〜８である］を有する環状シロキサンと、
ｂ）式
（Ｒ２ＨＳｉＯ１／２）ｖ（Ｒ２ＳｉＯ２／２）ｘ
［式中、各Ｒは、独立して選択されたＣ１−Ｃ６アルキル基であり、「ｖ」は、≧２であり、「ｘ」は、≧５０である］のシロキシ単位を含むポリオルガノシロキサンとの、
ヒドロシリル化触媒の存在下での反応生成物を含む、約０．１重量％〜約５０重量％の分枝状オルガノポリシロキサンであって、
構成成分Ａ）を形成するべく反応させる前の、構成成分ａ）のケイ素結合アルケニル基の、構成成分ｂ）のケイ素結合水素原子に対するモル比は、約０．５／１〜約２．５／１である分枝状オルガノポリシロキサン、並びに
Ｂ）シリコーン、有機溶媒、有機油、及びこれらの組み合わせからなる群から選択された約５０重量％〜約９９．９重量％のキャリアフルイド、を含む、フルイド組成物であって、
前記フルイド組成物が、２３℃にて少なくとも１００ｍＰａ・ｓの粘度を有し、かつ粘液様のレオロジー特性を示す、フルイド組成物。
【請求項１３】
ｉ）各Ｒ及びＲ１がメチル基であり、各Ｒ２がビニル基であり、「ｇ」が４であり、「ｖ」が２であり、「ｘ」が１５０〜１０，０００である、
ｉｉ）前記キャリアフルイドがシリコーンを含む、
ｉｉｉ）構成成分Ａ）を形成するべく反応させる前の、構成成分ａ）のケイ素結合アルケニル基の、構成成分ｂ）のケイ素結合水素原子に対するモル比が、約０．９／１〜約２．２／１である、請求項１２に記載のフルイド組成物。
【請求項１４】
前記フルイド組成物のレオロジー特性が、垂直抗力（パスカル）の垂直方向のせん断速度（ｓｅｃ−１）に対するプロットとして求められ、該プロットの傾きの平均が＞３．６である、請求項１〜１３のいずれか一項に記載のフルイド組成物。
【請求項１５】
請求項１〜１４のいずれか一項に記載のフルイド組成物を含む、パーソナルケア組成物。
【発明の詳細な説明】
【技術分野】
【０００１】
関連出願の相互参照
本出願は、２０１５年４月８日に出願された米国仮出願特許第６２／１４４，６１２号の利益を主張する。
【０００２】
これを含むパーソナルケア組成物
本開示は、Ａ）分枝状オルガノポリシロキサンと、Ｂ）キャリアフルイドと、を含む、フルイド組成物に関する。構成成分Ａ）は、ａ）環状シロキサンと、ｂ）ポリオルガノシロキサンとのヒドロシリル化反応生成物を含む。フルイド組成物は、粘液様のレオロジー特性を示す。本開示は、フルイド組成物を含むパーソナルケア組成物にも関する。
【０００３】
シリコーンフルイドは、工業界で広く使用されている。使用されている最も一般的なシリコーンフルイドは、典型的には、低分子量環状分子であるジメチルシロキサンフルイドである。しかしながら、多くの用途において、高分子量及び高分枝状シリコーンフルイドも使用される。
【０００４】
Ｓｔａｒｃｈ  ｅｔ  ａｌ．（米国特許出願公開第２０１２／０２２０５４９（Ａ１）号）により記載されているとおり、ポリマー溶液、及び粘液様シリコーンフルイドにおいて、ワイセンベルク効果として知られる、粘弾性の液体が回転する棒をつたって上がってくる現象が観察されている。この挙動は、ポリマー鎖間の絡まりを表すものであり、せん断応力下で展開される。これらの粘液様シリコーンフルイドは、高分子量で、高度に分枝したオルガノポリシロキサンであり、パーソナルケア製品に使用される。
【０００５】
パーソナルケア組成物に使用するのに所望の物理特性を有する、更なる粘液様シリコーンフルイドを提供する余地がある。このような粘液様シリコーンフルイドを形成する更なる方法を提供する余地もある。
【発明の概要】
【０００６】
フルイド組成物が開示される。フルイド組成物は、Ａ）分枝状オルガノポリシロキサン及びＢ）キャリアフルイドを含む。構成成分Ａ）は、ヒドロシリル化触媒の存在下でのａ）環状シロキサンとｂ）ポリオルガノシロキサンとの反応生成物を含む。構成成分ａ）は、１分子当たり少なくとも２つのケイ素結合アルケニル基を有し、構成成分ｂ）は、１分子当たり少なくとも２個のケイ素結合水素原子を有する。フルイド組成物は、２３℃にて少なくとも１００ｍＰａ・ｓの粘度を有し、かつ粘液様のレオロジー特性を示す。
【０００７】
本明細書で開示される様々な実施形態において、構成成分Ａ）は、フルイド組成物１００重量部に対し約０．１〜約５０重量％の量で存在する。更に、構成成分ａ）は、式：［Ｒ１Ｒ２ＳｉＯ］ｇを有し、式中、各Ｒ１は、独立して選択されたＣ１−Ｃ６アルキル基であり、各Ｒ２は、Ｒ１又はＣ２−Ｃ１２アルケニル基であり、「ｇ」は、３〜８である。１分子中、少なくとも２つのＲ２基はアルケニル基である。更に、構成成分ｂ）は、式（Ｒ２ＨＳｉＯ１／２）ｖ（Ｒ２ＳｉＯ２／２）ｘのシロキシ単位を含み、式中、各Ｒは、独立して選択されたＣ１−Ｃ６アルキル基であり、「ｖ」は≧２であり、「ｘ」は≧５０である。構成成分Ａ）を形成するべく反応させる前の、構成成分ａ）のケイ素結合アルケニル基の、構成成分ｂ）のケイ素結合水素原子に対するモル比は、約０．５／１〜約２．５／１である。前述の実施形態において、構成成分Ｂ）は、フルイド組成物１００重量部に対し約５０重量％〜約９９．９重量％の量で存在する。更に、構成成分Ｂ）は、典型的には、シリコーン、有機溶媒、有機油、及びこれらの組み合わせからなる群から選択される。
【０００８】
粘液様フルイドは、ある種のレオロジー挙動を示すフルイドである。粘液様フルイドについて最も容易に認識されるレオロジー挙動は、多量の粘液フルイドからかかるフルイドを少量分けた時に細い糸又は紐を形成する、「曳糸（ｓｔｒｉｐｐｉｎｇ）」挙動である。
【０００９】
本開示のフルイド組成物は、多くの場合、非常に潤滑性が高く、それでいて表面上で非常に持続性のフィルムを形成する。フルイド組成物がせん断されるにつれ、展開される垂直抗力がフルイド組成物の引き伸ばし（ｔｈｉｎｎｉｎｇ）に対し抵抗を示し、移動表面間に、より厚みのある潤滑層が維持されることになる。
【００１０】
同様にして、パーソナルケア組成物も開示される。パーソナルケア組成物は、本開示のフルイド組成物を含む。フルイド組成物は、パーソナルケア組成物に優れた美観及び感覚特性を提供する。例えば、フルイド組成物は、皮膚上でシュード（ｐｓｅｕｄｏ）フィルムを形成し得る。これにより皮膚に対する被覆性が向上し、物理特性が長期にわたり持続する。更に、フルイド組成物は、皮膚への適用時に、様々なパーソナルケア活性が向上されたフィルムの形成を提供し得る。例えば、日焼け止め剤のＳＰＦ性能は、フルイド組成物と共に送達されたときに増強され得る。
【図面の簡単な説明】
【００１１】
本開示の他の利点は容易に理解されると考えられ、下記の発明を実施するための形態を参照し、添付の図面と併せて考慮することによってより良く理解される。
【００１２】
【図１】反応中に過剰にアルケニル基を存在させて、環状シロキサンとポリオルガノシロキサンとを使用し分枝状オルガノポリシロキサンを形成する、本開示の非限定的反応を示す、一般的な反応スキームである。
【図２】反応中に過剰にケイ素結合水素原子を存在させて、環状シロキサンとポリオルガノシロキサンとを使用し分枝状オルガノポリシロキサンを形成する、本開示の別の非限定的反応を示す、一般的な反応スキームである。
【図３】第１の粘液様フルイド組成物及び第１のポリジメチルシロキサン（「ＰＤＭＳ」）のせん断速度の関数として垂直応力を示す折れ線グラフである。並びに
【図４】実施例１の粘液様フルイド組成物のせん断速度の関数として垂直応力を示す折れ線グラフである。
【発明を実施するための形態】
【００１３】
本開示は、フルイド組成物（「組成物」）に関する。組成物は、Ａ）分枝状オルガノポリシロキサンを含む。組成物は、Ｂ）キャリアフルイドを更に含む。以下に示すとおり、組成物は、粘液様のレオロジー特性を示す。組成物は、本明細書において、「シリコーンフルイド」、「フルイド組成物」、「粘液様のシリコーン組成物」、「粘液様のシリコーンフルイド」、又は「粘液様のシリコーンフルイド組成物」とも呼称され得る。
【００１４】
本明細書で使用するとき、「粘液様」は、シリコーンフルイドのレオロジー特性を記し、かかるフルイドは、せん断力を継続的に増大させながら加えたときに、垂直方向において観察される垂直応力が増大するのを示す。例えば、粘液様のシリコーンフルイドは、ｘ−ｙ平面においてせん断応力にかけられ、力はｚ方向（せん断平面に対して垂直又は法線方向）において展開される。シリコーンフルイドの粘液様レオロジーは、応力制御型レオメータを使用して測定され得る。かかるレオメータは、例えば、ＴＡ  Ｉｎｓｔｒｕｍｅｎｔｓ  ＡＲ  １０００−Ｎ（１０９  Ｌｕｋｅｎｓ  Ｄｒｉｖｅ，Ｎｅｗ  Ｃａｓｔｌｅ  Ｄｅｌ．１９７２０）などとして市販されている。
【００１５】
典型的には、フルイドサンプルは、（レオメータに取り付けられた）平坦なディスクと、ロードセルに装備された静的プレートとの間に保持される。ディスクに取り付けたシャフトに、大きさを調節して力（トルク）を加え、サンプルにせん断応力をかけた。トルクを増大させて、速度を漸増させながらディスクを回転させて、せん断速度として記録した。サンプルにせん断応力がかけられるにつれ、垂直応力がロードセルにより記録される。レオロジー特性の評価結果は、垂直応力（パスカル）の垂直方向のせん断速度（ｓｅｃ−１又は１／ｓｅｃ）に対するプロットとして概して記録される。
【００１６】
他の実施形態では、せん断速度に対する垂直応力のプロットがグラフの限界線（ｌｉｍｉｔｅｄ  ｌｉｎｅ）を下回った場合、フルイドは粘液様であるとして考えられる。限界線は、式ｙ＝３．６ｘを用いて作成され、式中、ｙは垂直応力であり、ｘはせん断速度である。しかしながら、結果は報告様式に制限されず、当該技術分野で認識されている任意の技術を用い報告又は評価され得る。
【００１７】
組成物は、上記のとおりに応力制御型レオメータを使用して、垂直抗力（パスカル）の、垂直方向のせん断速度（ｓｅｃ−１）に対するプロットを測定したときに、プロットの傾きの平均が、概して＞３．６（ｘ軸に１／ｓｅｃをとり、ｙ軸にＰａをとる）であるようなレオロジー特性を保持する。
【００１８】
分枝状オルガノポリシロキサン：
分枝状のオルガノポリシロキサンは、ヒドロシリル化触媒の存在下での、環状シロキサンと、ポリオルガノシロキサンとの反応生成物を含む。分枝状オルガノポリシロキサンは、本明細書において「構成成分Ａ）」又は「ヒドロシリル化反応生成物」とも呼称される。ヒドロシリル化反応生成物は、概して環状シロキサン及びポリオルガノシロキサンのヒドロシリル化反応から形成される。
【００１９】
１種又は２種以上の環状シロキサンを１種又は２種以上のポリオルガノシロキサンと反応させることができる。同様にして、様々な実施形態において、環状シロキサンを、２種（又はそれ以上）のポリオルガノシロキサンと反応させた。あるいは、２種（又はそれ以上）の環状シロキサンを１種のポリオルガノシロキサンと反応させることができる。したがって、様々な実施形態において、本明細書において「環状シロキサン」が記載されているあらゆる箇所において、２種又はそれ以上の環状シロキサンが使用され得る。他の実施形態において、本明細書において「ポリオルガノシロキサン」が記載されているあらゆる箇所において、２種又はそれ以上のポリオルガノシロキサンが使用され得る。
【００２０】
ヒドロシリル化反応生成物は、典型的には、アルケニル官能基又はＳｉ−Ｈ官能基（例えば、環状シロキサンとポリオルガノシロキサンとの反応の結果として）を含む。様々な実施形態において、アルケニル官能基又はＳｉ−Ｈ官能基は、ヒドロシリル化反応生成物及び／又は組成物の総重量に対し百万分率（ｐｐｍ）又は十億分率（ｐｐｂ）レベルで観察され得る。他の実施形態において、アルケニル官能基又はＳｉ−Ｈ官能基は、アルケニルの、ヒドロシリル化反応生成物の形成に使用される反応物のＳｉ−Ｈ官能基（例えば、環状シロキサン及びポリオルガノシロキサン）に対するモル比をもとに理解される。例えば、ヒドロシリル化反応生成物の形成に使用されるアルケニルのＳｉ−Ｈ単位に対する比は＜１又は＞１であり得る。
【００２１】
様々な実施形態において、この比は、０．０１〜＜１、０．１〜＜１、０．２〜０．９、０．３〜０．８、０．４〜０．７、又は０．５〜０．６である。他の実施形態において、この比は、＞１、＞１〜１００、＞１〜５０、＞１〜２５、＞１〜１５、＞１〜１０、又は＞１〜５である。典型的には、アルケニルのＳｉ−Ｈ単位に対する比は、厳密に１ではない。しかしながら、ある実施形態において、１という比は想到される。上記の値間に含まれる任意の値及びあらゆる値又は値範囲も利用できることが想到される。
【００２２】
様々な実施形態において、ヒドロシリル化反応生成物は、組成物１００重量部に対し約０．１〜５０、０．１〜４０、１〜３７、２〜３５、３〜３０、５〜２５、５〜２０、５〜１５、５〜１０、５〜９、６〜９、又は７〜８重量％の量で存在する。重量％でのこの量は、「固形分％」又は「活性成分（複数可）％」としても記載され得る。上記の値間に含まれる任意の値及びあらゆる値又は値範囲も利用できることが想到される。
【００２３】
ヒドロシリル化反応生成物はエラストマーとしても記載でき、例えば、ゆるく（ｌｏｏｓｅｌｙ）架橋されたエラストマーとしても記載できる。キャリアフルイドと組み合わせたとき（及び／又はキャリアフルイドの存在下で形成させたとき）、ヒドロシリル化反応生成物はキャリアフルイド中に完全に可溶性である。ヒドロシリル化反応生成物そのものの重合度は、環状シロキサン及びポリオルガノシロキサンの重合度に応じて異なり得る。様々な実施形態において、環状シロキサン及びポリオルガノシロキサンのいずれもの重合度が高いと、ヒドロシリル化反応生成物に対し付与される架橋は密（ｔｉｇｈｔ）になる。他の実施形態において、環状シロキサン及びポリオルガノシロキサンのどちらか一方の重合度が高いと、ヒドロシリル化反応生成物に対し付与される架橋度は中程度になる。更に他の実施形態では、環状シロキサン及びポリオルガノシロキサンのいずれもの重合度が低いと、ヒドロシリル化反応生成物に対し付与される架橋度は疎になり、例えば、ゆるくなる。ある種の実施形態において、ヒドロシリル化反応生成物は、当業者により認識されるとおり、架橋が軽度であるものとみなされる。
【００２４】
環状シロキサン：
様々な種類の環状シロキサンを使用して、分枝状オルガノポリシロキサンを形成できる。環状シロキサンは、本明細書において「構成成分ａ）」としても呼称され得る。環状シロキサンは、ケイ素結合アルケニル基を１分子当たりに少なくとも２つ有する。好適なアルケニル基を本明細書に記載する。
【００２５】
様々な実施形態において、環状シロキサンは、式：［Ｒ１Ｒ２ＳｉＯ］ｇを有し、各Ｒ１は、独立して選択された置換又は非置換ヒドロカルビル基であり、「ｇ」は、≧３、３〜１０、３〜８、３〜６、又は４である。上記の値間に含まれる任意の値及びあらゆる値又は値範囲も利用できることが想到される。
【００２６】
Ｒ１は、置換又は非置換脂肪族又は芳香族ヒドロカルビルであり得る。一価の非置換脂肪族ヒドロカルビルは、メチル基、エチル基、プロピル基、ペンチル基、オクチル基、ウンデシル基及びオクタデシル基などのアルキル基、並びにシクロヘキシル基などのシクロアルキル基により例示されるが、これらに限定されない。一価の置換脂肪族ヒドロカルビルは、クロロメチル基、３−クロロプロピル基、及び３，３，３−トリフルオロプロピル基などのハロゲン化アルキル基により例示されるが、これらに限定されない。芳香族ヒドロカルビルは、フェニル、トリル、キシリル、ベンジル、スチリル、及び２−フェニルエチルによって例示されるが、これらに限定されない。
【００２７】
様々な実施形態において、各Ｒ１は炭化水素基である。好適な炭化水素基は本明細書に記載される。他の実施形態において、各Ｒ１は、独立して選択された、１〜８個の炭素原子を有するアルキル基、アリール基、カルビノール基、又はアミノ基である。このような基の例を以下に更に記載する。ある種の実施形態において、各Ｒ１は、独立して選択されたＣ１−Ｃ６アルキル基、例えば、メチル基などである。アルケニル官能性環状シロキサンは既知であり、多く市販されている。
【００２８】
各Ｒ２は、Ｒ２基のうち少なくとも２つはアルケニル基であるという条件で、Ｒ１又はアルケニル基である。ある種の実施形態において、各Ｒ２は、独立して選択されたＣ２−Ｃ１２アルケニル基である。好適なアルケニル基としては、ビニル基、アリル基、ブテニル基、ペンテニル基、ヘキセニル基、及びデセニル基が挙げられる。アルケニル基は、一般的には、ビニル基又はヘキセニル基であり、より一般的には、ビニル基である。
【００２９】
ポリオルガノシロキサン：
各種ポリオルガノシロキサンを使用して、分枝状オルガノポリシロキサンを形成できる。ポリオルガノシロキサンは、本明細書において「構成成分ｂ）」としても呼称され得る。ポリオルガノシロキサンは、ケイ素結合水素原子（又はＳｉＨ基）を１分子当たり少なくとも２個有する。構成成分ｂ）の、ケイ素結合水素原子は、典型的には末端原子である。
【００３０】
様々な実施形態において、ポリオルガノシロキサンは、式：（Ｒ２ＨＳｉＯ１／２）ｖ（Ｒ２ＳｉＯ２／２）ｘのシロキシ単位を含む［式中、各Ｒは、独立して選択された置換又は非置換ヒドロカルビル基であり、「ｖ」は、≧２又は２であり、「ｘ」は、≧５０又は≧１００であり、あるいは１５０〜１０，０００、２００〜７，５００、２５０〜５，０００、３００〜２，５００、３００〜１，０００、又は３５０〜５００である］。上記の値間に含まれる任意の値及びあらゆる値又は値範囲も利用できることが想到される。
【００３１】
Ｒに好適な置換又は非置換ヒドロカルビル基としては上記Ｒ１のもなどが挙げられる。ある種の実施形態において、各Ｒは、独立して選択されたＣ１−Ｃ６アルキル基、例えば、メチル基などである。
【００３２】
添字「ｘ」に関連するシロキシ単位の総数は、当業界で認識されているとおり重合度（ＤＰ）としても呼称され得る。分子量、又はＤＰは、「ｘ」が≧５０であるという条件で変化し得るものの、分子量は概して限定されない。しかしながら、分子量が高すぎるとき、あるいはポリオルガノシロキサンが固体である場合、構成成分ｂ）を好適な溶媒又は低分子量のフルイド、例えば、構成成分Ｂ）として本明細書に記載の任意のキャリアフルイドに希釈することが望ましい場合がある。
【００３３】
ポリオルガノシロキサンは、このような有機基を含有するホモポリマー、コポリマー又はターポリマーであってよい。例として、ジメチルシロキシ単位及びフェニルメチルシロキシ単位を含むコポリマー、ジメチルシロキシ単位及び３，３，３−トリフルオロプロピルメチルシロキシ単位を含むコポリマー、ジメチルシロキシ単位及びジフェニルシロキシ単位を含むコポリマー、並びに、特にジメチルシロキシ単位、ジフェニルシロキシ単位及びフェニルメチルシロキシ単位のコポリマーが挙げられる。分子構造も重要ではなく、直鎖、及び部分的に分枝した直鎖構造で例示されるが、直鎖系が最も典型的である。ポリオルガノシロキサンは、ＳｉＨ末端を有するポリオルガノシロキサンとしても呼称され得る。ＳｉＨ官能性ポリオルガノシロキサンは既知であり、多く市販されている。
【００３４】
ポリオルガノシロキサンは、例えば、「Ｔ」単位（ＲＳｉＯ３／２）及び「Ｑ」シロキシ単位（ＳｉＯ４／２）などのその他のシロキシ単位も含有し得る。様々な実施形態において、ポリオルガノシロキサンは、＜１重量％、＜０．５重量％、＜０．１重量％、又は＜０．０１重量％のＴ単位及び／又はＱ単位を含む。あるいは、ポリオルガノシロキサンは、Ｔ単位及び／又はＱ単位を含まない。
【００３５】
一実施形態では、ポリジオルガノシロキサンは、ＳｉＨ末端を有するポリジオルガノシロキサンガムから選択される。本明細書で使用するとき、ポリジオルガノシロキサンガムは、主にＤ単位を含む。例えば、ポリジオルガノシロキサンガム自体は、２５℃にて少なくとも１，０００，０００、又は少なくとも２，０００，０００ｍｍ２／ｓの粘度を有し得る。あるいは、分子量は、米国材料試験教会（ＡＳＴＭ）の試験方法９２６により測定したときに、少なくとも４０のウィリアムス可塑度をポリジオルガノシロキサンガムに付与するのに十分なものであり得る。典型的には、可塑度は、４０〜２００又は５０〜１５０である。あるいは、ポリジオルガノシロキサンガムの分子量は、少なくとも６００，０００、少なくとも１，０００，０００、又は少なくとも２，０００，０００ダルトンである。上記の値間に含まれる任意の値及びあらゆる値又は値範囲も利用できることが想到される。
【００３６】
ヒドロシリル化触媒：
環状シロキサン及びポリオルガノシロキサンは、典型的には、共に反応してヒドロシリル化反応生成物を形成する。この反応は、典型的には、ヒドロシリル化触媒の存在下で実施される。ヒドロシリル化触媒は、当技術分野において既知の任意のものであってもよい。例えば、ヒドロシリル化触媒は、白金族金属を含有する触媒であり得る。「白金族」とは、ルテニウム、ロジウム、パラジウム、オスミウム、イリジウム及び白金、並びにこれらの錯体を意味する。本明細書において有用である白金族金属を含有する触媒の非限定例は、米国特許第３，４１９，５９３号、同第５，１７５，３２５号、同第３，９８９，６６８号、同第５，０３６，１１７号、同第３，１５９，６０１号、同第３，２２０，９７２号、同第３，２９６，２９１号、同第３，５１６，９４６号、同第３，８１４，７３０号、及び同第３，９２８，６２９号に記載のとおりに調製された白金錯体であり、これらの特許文献の各々は、１つ以上の非限定的な実施形態における参照により本願に明示的に援用される。
【００３７】
ヒドロシリル化触媒は、白金金属、シリカゲル若しくは粉末木炭などの担体上に担持した白金金属、又は白金族金属の化合物若しくは錯体でよい。典型的なヒドロシリル化触媒としては、六水和物型若しくは無水物型いずれかの塩化白金酸、及び／又は、塩化白金酸を、ジビニルテトラメチルジシロキサンなどの脂肪族不飽和オルガノシリコン化合物と反応させることを含む方法により得られる白金含有触媒、又は１つ以上の非限定的な実施形態における参照により本明細書に明示的に援用される米国特許第６，６０５，７３４号に記載のとおりのアルケン−白金−シリル錯体が挙げられる。例は（ＣＯＤ）Ｐｔ（ＳｉＭｅＣｌ２）２であり、式中、「ＣＯＤ」は１，５−シクロオクタジエンであり、「Ｍｅ」はメチルである。これらのアルケン−白金−シリル錯体は、例えば、０．０１５モルの（ＣＯＤ）ＰｔＣｌ２を、０．０４５モルのＣＯＤ及び０．０６１２モルのＨＭｅＳｉＣｌ２と混合することにより調製することができる。
【００３８】
使用されるヒドロシリル化触媒の量は、典型的には、具体的な触媒によって異なる。ヒドロシリル化触媒は、典型的には、フルイド組成物の百万分率に基づき、総固形分重量％（溶媒以外の全ての原料）で少なくとも２ｐｐｍ、より典型的には、４〜２００ｐｐｍの白金を提供するのに十分な量で使用される。様々な実施形態において、ヒドロシリル化触媒は、同様の基準で１〜１５０重量ｐｐｍの白金を提供するのに十分な量で存在する。ヒドロシリル化触媒は、単一種として、又は２種以上の異なる種の混合物として添加してよい。
【００３９】
構成成分ａ）及びｂ）の間のヒドロシリル化反応は、構成成分Ａ）を形成する反応する前の、構成成分ａ）のケイ素結合アルケニル基の、構成成分ｂ）のケイ素結合水素原子に対するモル比を、約０．５／１〜約２．５／１、あるいは約０．９／１〜約２．２／１、あるいは約１．０／１〜約１．５／１として実施される。
【００４０】
構成成分ａ）及びｂ）間のヒドロシリル化反応は、そのままで、又は好適な溶媒の存在下で行うことができる。典型的には、ヒドロシリル化反応の溶媒は、構成成分Ｂ）として本明細書に記載のキャリアフルイドのうちの１種から選択される。
【００４１】
架橋反応の化学量論は、ネットワークポリマーを生成するよう制御でき、架橋密度は、フルイドを生成するのに十分低い（架橋密度が高くなるほど、概してエラストマー固体が得られるようになる）。
【００４２】
任意選択的な化合物（複数可）：
組成物は、１種以上の任意選択的な化合物を含んでもよい。あるいは、ヒドロシリル化反応生成物は、例えば、前述のヒドロシリル化触媒の存在下での、環状シロキサンと、ポリオルガノシロキサンと、１つ以上の次の任意選択的な化合物との反応生成物として更に定義され得る。あるいは、環状シロキサンは、ポリオルガノシロキサンとの反応前に任意選択的な化合物と反応させることができる。他の実施形態において、ポリオルガノシロキサンは、環状シロキサンとの反応前に任意選択的な化合物と反応させることができる。
【００４３】
任意選択的な化合物が同じ又は競合する官能性を有し得る範囲で、及び／又は任意選択的な化合物による、環状シロキサンのアルケニル基のブロック化を防止するため、ビニル官能性を有する任意選択的な化合物は、最初に、ＳｉＨ基を有する鎖延長剤、例えば、二量体と反応させるべきである。好適な二量体は式：ＨＳｉＲ２ＯＳｉＲ２Ｈのものであり、式中、各Ｒは、別個にメチルなどのアルキル基である。
【００４４】
このような任意選択的な化合物非限定例としては、モノ末端脂肪族不飽和炭化水素基を有する化合物又は化合物の混合物が挙げられる。例えば、この任意選択的な化合物は、末端不飽和脂肪族炭化水素基を１つ有し６〜３０個の炭素原子を含有する炭化水素、及び／若しくは末端不飽和脂肪族基を１つ有するポリオキシアルキレンであってよく、又は含み得る。
【００４５】
この任意選択的な化合物の使用は、結果として、ヒドロシリル化反応生成物及び／又は組成物の化学特性及び物理特性を変更し得る。例えば、任意選択的な化合物が、ヒドロシリル化反応生成物に炭化水素基を付加することにより、組成物には、より疎水性が付与され得る。反対に、任意選択的な化合物が、例えば、ほとんどがエチレンオキシド単位であるポリオキシアルキレンである場合、使用によりヒドロシリル化反応生成物及び／又は組成物はより親水性となり得る。
【００４６】
任意選択的な化合物中の不飽和脂肪族炭化水素基（複数可能）は、アルケニル基又はアルキニル基であり得る。アルケニル基の代表的な非限定例は、次の構造により示される；Ｈ２Ｃ＝ＣＨ−、Ｈ２Ｃ＝ＣＨＣＨ２−、Ｈ２Ｃ＝Ｃ（ＣＨ３）ＣＨ２−、Ｈ２Ｃ＝ＣＨＣＨ２ＣＨ２−、Ｈ２Ｃ＝ＣＨＣＨ２ＣＨ２ＣＨ２−、及びＨ２Ｃ＝ＣＨＣＨ２ＣＨ２ＣＨ２ＣＨ２−。アルキニル基の代表的な非限定例は、次の構造により示される；ＨＣ≡Ｃ−、ＨＣ≡ＣＣＨ２−、ＨＣ≡ＣＣＨ（ＣＨ３）−、ＨＣ≡ＣＣ（ＣＨ３）２−、及びＨＣ≡ＣＣ（ＣＨ３）２ＣＨ２−。
【００４７】
他の実施形態において、末端不飽和脂肪族基を１つ有し６〜３０個の炭素原子を含有する炭化水素は、α−オレフィン、例えば、１−ヘキセン、１−オクテン、１−デセン、１−ウンデセン、１−デカデセン、及び同様の同族体などから選択され得る。あるいは、任意選択的な化合物は、α−メチルスチレンなどのアリール含有炭化水素からも選択され得る。
【００４８】
なお更に、任意選択的な化合物は、平均式：Ｒ’Ｏ−［（Ｃ２Ｈ４Ｏ）ｃ’（Ｃ３Ｈ６Ｏ）ｄ’（Ｃ４Ｈ８Ｏ）ｅ］−Ｒ”を有するポリオキシアルキレンから選択され得る［式中、Ｒ’は、２〜１２個の炭素原子を含む一価の不飽和脂肪族炭化水素基であり、ｃ’、ｄ’、及びｅの合計が＞０になるという条件で、ｃ’は、０〜１００であり、ｄ’は、０〜１００であり、「ｅ」は、０〜１００である］。Ｒ”は、水素、アシル基、又は１〜８個の炭素を含有する一価の炭化水素基である。
【００４９】
あるいは、任意選択的な化合物として有用なポリオキシアルキレンの代表的な非限定例としては、Ｈ２Ｃ＝ＣＨＣＨ２Ｏ（Ｃ２Ｈ４Ｏ）ｃ’Ｈ、Ｈ２Ｃ＝ＣＨＣＨ２Ｏ（Ｃ２Ｈ４Ｏ）ｃ’ＣＨ３、Ｈ２Ｃ＝ＣＨＣＨ２Ｏ（Ｃ２Ｈ４Ｏ）ｃ’Ｃ（Ｏ）ＣＨ３、Ｈ２Ｃ＝ＣＨＣＨ２Ｏ（Ｃ２Ｈ４Ｏ）ｃ’（Ｃ３Ｈ６Ｏ）ｄ’Ｈ、Ｈ２Ｃ＝ＣＨＣＨ２Ｏ（Ｃ２Ｈ４Ｏ）ｃ’（Ｃ３Ｈ６Ｏ）ｄ’ＣＨ３、Ｈ２Ｃ＝Ｃ（ＣＨ３）ＣＨ２Ｏ（Ｃ２Ｈ４Ｏ）ｃ’Ｈ、Ｈ２Ｃ＝ＣＨＣ（ＣＨ３）２Ｏ（Ｃ２Ｈ４Ｏ）ｃ’Ｈ、Ｈ２Ｃ＝Ｃ（ＣＨ３）ＣＨ２Ｏ（Ｃ２Ｈ４Ｏ）ｃ’ＣＨ３、Ｈ２Ｃ＝Ｃ（ＣＨ３）ＣＨ２Ｏ（Ｃ２Ｈ４Ｏ）ｃ’Ｃ（Ｏ）ＣＨ３、Ｈ２Ｃ＝Ｃ（ＣＨ３）ＣＨ２Ｏ（Ｃ２Ｈ４Ｏ）ｃ’（Ｃ３Ｈ６Ｏ）ｄ’Ｈ、Ｈ２Ｃ＝Ｃ（ＣＨ３）ＣＨ２Ｏ（Ｃ２Ｈ４Ｏ）ｃ’（Ｃ３Ｈ６Ｏ）ｄ’ＣＨ３、ＨＣ≡ＣＣＨ２Ｏ（Ｃ２Ｈ４Ｏ）ｃ’Ｈ、ＨＣ≡ＣＣＨ２Ｏ（Ｃ２Ｈ４Ｏ）ｃ’ＣＨ３、ＨＣ≡ＣＣＨ２Ｏ（Ｃ２Ｈ４Ｏ）ｃ’（Ｃ３Ｈ６Ｏ）ｄ’Ｈ、ＨＣ≡ＣＣＨ２Ｏ（Ｃ２Ｈ４Ｏ）ｃ’（Ｃ３Ｈ６Ｏ）ｄ’ＣＨ３、及びＨＣ≡ＣＣＨ２Ｏ（Ｃ２Ｈ４Ｏ）ｃ’Ｃ（Ｏ）ＣＨ３が挙げられ、式中、ｃ’及びｄ’は上記のとおりである。
【００５０】
更に他の実施形態では、任意選択的な化合物は、不飽和脂肪族基を１つ有する直鎖状又は分枝状シロキサンである。あるいは、任意選択的な化合物は、不飽和脂肪族基（例えば、アリルキシリトール又はアリルグリセリン）を１つ有するポリオールであり得る。
【００５１】
更に他の実施形態では、任意選択的な化合物は、それぞれ１つ以上の非限定的な実施形態における参照により本願に明示的に援用される米国特許出願公開第２０１２／０２２０５４９号、同第２０１２／０１５６１４８号、及び同第２０１４／０２４９１０６号に記載されているＳｉＨ又はアルケニル官能性化合物である。これらの化合物は、概して、本開示の環状シロキサン及びポリオルガノシロキサンとは逆の官能性を有する。
【００５２】
キャリアフルイド：
組成物の形成には各種キャリアフルイドを使用することができる。キャリアフルイドは、本明細書において「構成成分Ｂ）」としても呼称され得る。キャリアフルイドは、典型的には、シリコーン、有機溶媒、有機油、及びこれらの組み合わせからなる群から選択される。
【００５３】
好適なキャリアフルイドとしては、直鎖状及び環状の両方のシリコーン、有機油、有機溶媒、及びこれらの組み合わせが挙げられる。溶媒の具体例は、これらの溶媒に関係する様々な非限定的な実施形態における参照により本明細書に明示的に援用される米国特許第６，２００，５８１号に見ることができる。一実施形態では、キャリアフルイドは、ポリジメチルシロキサンである。様々な他の実施形態において、キャリアフルイドは、２５℃にて１〜１，０００ｍｍ２／ｓであるとして測定される粘度を有する、低粘度シリコーン、又は揮発性メチルシロキサン、又は揮発性エチルシロキサン、又は揮発性メチルエチルシロキサンであり、例えば、ヘキサメチルシクロトリシロキサン、オクタメチルシクロテトラシロキサン、デカメチルシクロペンタシロキサン、ドデカメチルシクロヘキサシロキサン、オクタメチルトリシロキサン、デカメチルテトラシロキサン、ドデカメチルペンタシロキサン、テトラデカメチルヘキサシロキサン、ヘキサデカメチルヘプタシロキサン、ヘプタメチル−３−｛（トリメチルシリル）オキシ）｝トリシロキサン、ヘキサメチル−３，３，ビス｛（トリメチルシリル）オキシ｝トリシロキサン、及びペンタメチル｛（トリメチルシリル）オキシ｝シクロトリシロキサン、並びにポリジメチルシロキサン、ポリエチルシロキサン、ポリメチルエチルシロキサン、ポリメチルフェニルシロキサン、ポリジフェニルシロキサン、及びこれらの組み合わせなどである。好適なキャリアフルイドの例としては、ＤＯＷ  ＣＯＲＮＩＮＧ（登録商標）２００  フルイド、例えば、２  ｃＳｔ及び５  ｃＳｔ；並びにＤＯＷ  ＣＯＲＮＩＮＧ（登録商標）ＦＺ−３１９６が挙げられる。
【００５４】
有機溶媒としては、芳香族炭化水素、脂肪族炭化水素、アルコール、アルデヒド、ケトン、アミン、エステル、エーテル、グリコール、グリコールエーテル、ハロゲン化アルキル、芳香族ハロゲン化物、及びこれらの組み合わせが挙げられるがこれらに限定されない。イソドデカン、イソヘキサデカン、Ｉｓｏｐａｒ  Ｌ（Ｃ１１−Ｃ１３）、Ｉｓｏｐａｒ  Ｈ（Ｃ１１−Ｃ１２）、水素添加ポリデセン、及びこれらの組み合わせなどといった炭化水素も使用できる。イソデシルネオペンタノエート、ネオペンチルグリコールヘプタノエート、グリコールジステアラート、ジカプリリルカーボネート、ジエチルヘキシルカーボネート、プロピレングリコールｎブチルエーテル、エチル−３エトキシプロピオネート、プロピレングリコールメチルエーテルアセテート、トリデシルネオペンタノエート、プロピレングリコールメチルエーテルアセテート（ＰＧＭＥＡ）、プロピレングリコールメチルエーテル（ＰＧＭＥ）、オクチルドデシルネオペンタノエート、ジイソブチルアジペート、ジイソプロピルアジペート、プロピレングリコールジカプリレート／ジカプレート、オクチルパルミテート、及びこれらの組み合わせなどといったエーテル及びエステルも使用できる。有機脂肪（ｏｒｇａｎｉｃ  ｆａｔｓ）、油、脂肪酸、脂肪族アルコール、及びこれらの組み合わせも使用できる。
【００５５】
キャリアフルイドは、典型的には、２５℃にて１〜１，０００、２〜５０、又は５〜５０、あるいは２〜２０、２〜１５、２〜１０、又は２〜５ｍｍ２／ｓであるとして測定される粘度を有する。上記の値間の任意の値及び全ての値又は値の範囲も用いることができることは想到される。
【００５６】
キャリアフルイドは、典型的には、組成物１００重量部に対し約５０〜９９．９、６０〜９９．９、７０〜９９．９、又は８０〜９９．９９、あるいは約７０〜９７、７５〜９５、８０〜９５、８５〜９５、９０〜９５、９３〜９５、９１〜９５、９２〜９４、又は９２〜９３重量％の量で粘液様シリコーンフルイドに存在する。上記の値間に含まれる任意の値及びあらゆる値又は値範囲も利用できることが想到される。
【００５７】
キャリアフルイドと、ヒドロシリル化反応生成物との組み合わせにより、組成物には、パスカル秒（Ｐａ・ｓ）で測定され、せん断速度に対しｓｅｃ−１で収集される、約０．１〜７５、０．３〜１５、０．５〜５、又は１〜３Ｐａ・ｓの粘度が提供される。これらの粘度の値は、典型的には、ＴＡ  Ｉｎｓｔｒｕｍｅｎｔｓ  ＡＲ  １０００−Ｎなどの応力制御型レオメータを使用して測定される。様々な実施形態において、用語「フルイド」は、本明細書で使用するとき、重力などの力が加えられたときに、構成粒子が互いに行き交うことができ、すなわち流動し得る、液体を表す。本実施形態において、「フルイド」は、流動しない「ゲル」を包含しない。他の実施形態において、組成物は、２３℃にて≧１００、≧２００、又は≧３００ｍＰａ・ｓの粘度を有し、それぞれが上記の値のいずれかを最大値として有する。上記の値間に含まれる任意の値及びあらゆる値又は値範囲も利用できることが想到される。
【００５８】
任意選択的なシリコーンエラストマー（複数可）：
組成物は、ヒドロシリル化反応生成物とは異なるシリコーンエラストマーも含み得る。より具体的には、シリコーンエラストマー及びヒドロシリル化生成物は、同じ化合物でないものの、非常に似ている場合もあり得る。シリコーンエラストマーは特に限定されず、当業者に知られるとおり、当該技術分野で既知の任意のものであってよい。シリコーンエラストマーの添加により、物理特性及び感覚特性をカスタマイズすることが可能であるものの、シリコーンエラストマーは任意選択的なものであることは認識されたい。シリコーンエラストマーを使用する場合、組成物は、本明細書において「シリコーンエラストマー組成物」又は「エラストマー組成物」と呼称され得る。
【００５９】
シリコーンエラストマー組成物：
シリコーンエラストマー組成物は、様々な濃度にわたり、特有のレオロジー特性、光学特性、及び感覚特性を示し得る。かかるエラストマー組成物の化学的、ひいては物理的特性は、シリコーンエラストマー組成物が、親水性又は疎水性の挙動、有機相溶性（ｏｒｇａｎｉｃ  ｃｏｍｐａｔｉｂｉｌｉｔｙ）若しくは不相溶性、及び／又は皮膚上に配置されたときの視覚特性の変化を示すよう調整され得る。例えば、特定のシリコーンエラストマー組成物は、それらの構成成分の効果を累積したものよりも顕著に所望の特性を付与し得る。フルイド組成物及びシリコーンエラストマーの選択により、レオロジーを改質でき、感覚特性を改良でき、光学的効果を変化させることができ、かつシリコーンエラストマー組成物の持続性を向上させることができる。
【００６０】
一実施形態では、シリコーンエラストマー組成物を皮膚に塗布したときに二通りの感覚効果を提供することを目的として、「一致しない（ｍｉｓｍａｔｃｈｅｄ）」キャリアフルイドが使用される。例えば、揮発性有機キャリアフルイド中のシリコーンエラストマーと、非揮発性シリコーンキャリアフルイド中のフルイド組成物とのブレンドは、感覚効果の変化を呈し得る。塗布時に、揮発性有機キャリアフルイドの効果は容易に認識され得る。しかしながら、一定時間後、揮発性有機キャリアフルイドが蒸発することにより、不揮発性シリコーンキャリアフルイドの効果が示され得る。
【００６１】
構成成分の選択により、エラストマー／皮膚相互作用に持続性を付与でき、耐久性を向上できる。フルイド組成物の選択により、シリコーンエラストマー組成物のレオロジーを改質でき、かつ感覚／質感が二通り（又は複数通り）の製品に使用するためにカスタマイズできる。
【００６２】
使用する場合、シリコーンエラストマーは、典型的には、シリコーンエラストマー組成物１００重量部に対し約１〜５０、２〜４０、３〜３０、３〜２５、４〜２５、５〜２５、５〜２０、５〜１５、５〜１０、５〜９、６〜９、又は７〜８重量％の量でシリコーンエラストマー組成物中に存在する。上記の値間に含まれる任意の値及びあらゆる値又は値範囲も利用できることが想到される。
【００６３】
好適なシリコーンエラストマーの第１の非限定例：
好適なシリコーンエラストマーは、（Ａ）ポリシロキサンを含有する≡Ｓｉ−Ｈと、（Ｂ）白金触媒の存在下でのα，ω−ジエンと、（Ｃ）低分子量の直鎖状又は環状ポリシロキサンとの架橋反応により調製できる。シリコーンエラストマーは、せん断力下で低分子量のポリシロキサンで膨潤させることができる。６５〜９８重量％の低分子量ポリシロキサンを含有するエラストマーは安定であり、様々な粘度範囲で均一なシリコーンペーストを形成する。
【００６４】
シリコーンペーストを、明瞭性、チクソ性、ずり減粘、及び皮膚上でのなめらかな延展性を含む優れた特性を有する傾向がある。それらはベースオイルとして化粧品製品及び医薬品製品に適用できる。シリコーンエラストマーを砕いてシリコーン粉末とすることができる。シリコーン粉末は、皮膚に対し容易に擦り込まれるという特有の特性を有し、シリコーン樹脂は、皮膚中に浸透させることができ、皮膚に対し塗布される処方の持続性を改善する。これらの材料は、例えば、制汗剤及びデオドラントなどの固体化粧品に使用するのに理想的である。
【００６５】
構成成分（Ａ）は、本明細書においてＡ１型と記載される式：Ｒ３ＳｉＯ（Ｒ’２ＳｉＯ）ａ（Ｒ”ＨＳｉＯ）ｂＳｉＲ３の化合物と、本明細書においてＡ２型と記載される式：ＨＲ２ＳｉＯ（Ｒ’２ＳｉＯ）ｃＳｉＲ２Ｈ又は式：ＨＲ２ＳｉＯ（Ｒ’２ＳｉＯ）ａ（Ｒ”ＨＳｉＯ）ｂＳｉＲ２Ｈの化合物により表される。これらの式において、Ｒ、Ｒ’、及びＲ”は、１〜６個の炭素原子を有するアルキル基であり、「ａ」は、０〜２５０であり、「ｂ」は、１〜２５０であり、及び「ｃ」は、０〜２５０である。化合物Ａ２：Ａ１のモル比は０〜２０又は０〜５である。Ａ１型及びＡ２型の化合物を反応に使用できるものの、Ａ１型の化合物のみを使用して反応を首尾よく実施することができる。
【００６６】
構成成分（Ｂ）は、式：ＣＨ２＝ＣＨ（ＣＨ２）ｘＣＨ＝ＣＨ２の化合物であり、式中、ｘは１〜２０である。好適なα，ω−ジエンの例は、１，４−ペンタジエン、１，５−ヘキサジエン、１，６−ヘプタジエン、１，７−オクタジエン、１，８−ノナジエン、１，９−デカジエン、１，１１−ドデカジエン、１，１３−テトラデカジエン、及び１，１９−エイコサジエンである。
【００６７】
付加反応及び架橋反応は、構成成分（Ａ）と（Ｂ）との反応に作用する触媒を必要とする。好適な触媒は、第ＶＩＩＩ族遷移金属、すなわち、貴金属である。かかる貴金属触媒は、米国特許第３，９２３，７０５号に記載されており、この記載は、白金触媒を示す１つ以上の非限定的な実施形態において参照により本明細書に明示的に援用される。他の好適な触媒及びその量は上記のとおりであり、例えば、白金族金属含有触媒である。
【００６８】
白金触媒型の１つは、１つ以上の非限定的実施形態における参照によりそれぞれ本明細書に明示的に援用される、米国特許第３，７１５，３３４号及び同第３，８１４，７３０号に記載されている、Ｋａｒｓｔｅｄｔ触媒である。Ｋａｒｓｔｅｄｔ触媒は、典型的には、トルエンなどの溶媒中に約１重量％の白金を含有する白金ジビニルテトラメチルジシロキサン錯体である。別の白金触媒型は、塩化白金酸と末端脂肪族不飽和を含有するオルガノシリコン化合物との反応生成物である。かかる触媒米国特許第３，４１９，５９３号に記載されており、この記載は、１つ以上の非限定的実施形態における参照により本明細書に明示的に援用される。貴金属触媒は、構成成分（Ａ）１００重量部当たり０．００００１〜０．５、０．００００１〜０．０２、又は０．００００１〜０．００２部の量で使用される。
【００６９】
語句「低分子量シリコーン油（Ｃ）」は、（ｉ）低分子量直鎖状及び環状揮発性メチルシロキサン、（ｉｉ）低分子量直鎖状及び環状揮発性及び不揮発性アルキル及びアリールシロキサン、並びに（ｉｉｉ）低分子量直鎖状及び環状官能性シロキサンを含むことを意図する。しかしながら、最も好ましいものは、低分子量直鎖状及び環状揮発性メチルシロキサン（ＶＭＳ）である。
【００７０】
ＶＭＳ化合物は、平均単位式（ＣＨ３）ａＳｉＯ（４−ａ）／２に相当し、式中、「ａ」は、平均値として２〜３を有する。ＶＭＳ化合物は、≡Ｓｉ−Ｏ−Ｓｉ≡結合により接続されたシロキサン単位を含有する。代表的なシロキサン単位は、（ＣＨ３）３ＳｉＯ１／２、（ＣＨ３）２ＳｉＯ２／２、ＣＨ３ＳｉＯ３／２、及びＳｉＯ４／２，であり、後者２つのシロキサン単位を含めることで、分枝型の直鎖状又は環状ＶＭＳが形成される。
【００７１】
直鎖状ＶＭＳは、式：（ＣＨ３）３ＳｉＯ｛（ＣＨ３）２ＳｉＯ｝ｙＳｉ（ＣＨ３）３を有し、式中、ｙは、０〜５である。環状ＶＭＳは式：｛（ＣＨ３）２ＳｉＯ｝ｚを有し、式中、ｚは３〜６である。典型的には、これらのＶＭＳは、約２５０℃未満の沸点、及び約０．６５〜５．０ｍｍ２／ｓの粘度を有する。
【００７２】
これらのＶＭＳは、次の構造により表すことができ、式中、ｘ及びｙは０〜５である。
【００７３】
【化１】
2018512491.tif 000003
【００７４】
【化２】
2018512491.tif 000004
【００７５】
代表的な直鎖状ＶＭＳ（Ｉ）は、１００℃の沸点、０．６５ｍｍ２／ｓの粘度、及び式Ｍｅ３ＳｉＯＳｉＭｅ３を有するヘキサメチルジシロキサン（ＭＭ）、１５２℃の沸点、１．０４ｍｍ２／ｓの粘度、及び式Ｍｅ３ＳｉＯＭｅ２ＳｉＯＳｉＭｅ３を有するオクタメチルトリシロキサン（ＭＤＭ）、１９４℃の沸点、１．５３ｍｍ２／ｓの粘度、及び式Ｍｅ３ＳｉＯ（Ｍｅ２ＳｉＯ）２ＳｉＭｅ３を有するデカメチルテトラシロキサン（ＭＤ２Ｍ）、２２９℃の沸点、２．０６ｍｍ２／ｓの粘度、及び式Ｍｅ３ＳｉＯ（Ｍｅ２ＳｉＯ）３ＳｉＭｅ３を有するドデカメチルペンタシロキサン（ＭＤ３Ｍ）、２４５℃の沸点、２．６３ｍｍ２／ｓの粘度、及び式Ｍｅ３ＳｉＯ（Ｍｅ２ＳｉＯ）４ＳｉＭｅ３を有するテトラデカメチルヘキサシロキサン（ＭＤ４Ｍ）、及び２７０℃の沸点、３．２４ｍｍ２／ｓの粘度、及び式Ｍｅ３ＳｉＯ（Ｍｅ２ＳｉＯ）５ＳｉＭｅ３を有するヘキサデカメチルヘプタシロキサン（ＭＤ５Ｍ）である。
【００７６】
例示的な環状ＶＭＳ（ＩＩ）は、１３４℃の沸点及び式｛（Ｍｅ２）ＳｉＯ｝３を有する固体、ヘキサメチルシクロトリシロキサン（Ｄ３）、１７６℃の沸点及び２．３ｍｍ２／ｓの粘度と、式｛（Ｍｅ２）ＳｉＯ｝４とを有するオクタメチルシクロテトラシロキサン（Ｄ４）、２１０℃の沸点、３．８７ｍｍ２／ｓの粘度、及び式｛（Ｍｅ２）ＳｉＯ｝５を有するデカメチルシクロペンタシロキサン（Ｄ５）、並びに２４５℃の沸点、６．６２ｍｍ２／ｓの粘度、及び式｛（Ｍｅ２）ＳｉＯ｝６を有するドデカメチルシクロヘキサシロキサン（Ｄ６）である。
【００７７】
代表的な分枝状ＶＭＳ（ＩＩＩ）及び（ＩＶ）は、１９２℃の沸点、１．５７ｍｍ２／ｓの粘度、式Ｃ１０Ｈ３０Ｏ３Ｓｉ４を有するヘプタメチル−３−｛（トリメチルシリル）オキシ｝トリシロキサン（Ｍ３Ｔ）、２２２℃の沸点、２．８６ｍｍ２／ｓの粘度、式Ｃ１２Ｈ３６Ｏ４Ｓｉ５を有するヘキサメチル−３，３，ビス｛（トリメチルシリル）オキシ｝トリシロキサン（Ｍ４Ｑ）、並びに式Ｃ８Ｈ２４Ｏ４Ｓｉ４を有するペンタメチル｛（トリメチルシリル）オキシ｝シクロトリシロキサン（ＭＤ３）である。
【００７８】
代表的な直鎖状ポリシロキサンは、式Ｒ３ＳｉＯ（Ｒ２ＳｉＯ）ｙＳｉＲ３の化合物であり、代表的な環状ポリシロキサンは、式（Ｒ２ＳｉＯ）ｚの化合物である。Ｒは、炭素原子１〜６個のアルキル基、又は例えばフェニルなどのアリール基である。「ｙ」の値は０〜８０又は０〜２０である。「ｚ」の値は０〜９又は４〜６である。これらのポリシロキサンは、概して、約１〜１００ｍｍ２／ｓの範囲の粘度を有する。前述の粘度は、別途記載のない限り概して２５℃下でのものである。
【００７９】
他の代表的な低分子量不揮発性ポリシロキサンは次の一般式を有する。
【００８０】
【化３】
2018512491.tif 000005
【００８１】
「ｎ」は、約１００〜１，０００センチストークスの範囲の粘度を有するポリマーを提供する値を有する。Ｒ１及びＲ２は、独立して、１〜２０個の炭素原子を有するアルキル基、又は例えば、フェニルなどのアリール基である。典型的には、値「ｎ」は、約８０〜３７５である。例示的なポリシロキサンは、ポリジメチルシロキサン、ポリジエチルシロキサン、ポリメチルエチルシロキサン、ポリメチルフェニルシロキサン、及びポリジフェニルシロキサンである。
【００８２】
低分子量の官能性ポリシロキサンは、アクリルアミド官能性シロキサンフルイド、アクリレート官能性シロキサンフルイド、アミド官能性シロキサンフルイド、アミノ官能性シロキサンフルイド、カルビノール官能性シロキサンフルイド、カルボキシ官能性シロキサンフルイド、クロロアルキル官能性シロキサンフルイド、エポキシ官能性シロキサンフルイド、グリコール官能性シロキサンフルイド、ケタール官能性シロキサンフルイド、メルカプト官能性シロキサンフルイド、メチルエステル官能性シロキサンフルイド、ペルフルオロ官能性シロキサンフルイド、及びシラノール官能性シロキサンにより表され得る。
【００８３】
≡ＳｉＨ含有ポリシロキサン（複数可）、α，ω−ジエン、低分子量シリコーン油、又は他の溶媒、及び触媒は、室温にて組み合わせて、ゲルが形成されるまで混合することができる。所望される場合、プロセスを加速させるため、高温を使用してもよい。追加量の低分子量シリコーン油又は溶媒を次にゲルに加え、得られた混合物にせん断力をかけてペーストを形成する。バッチミキサ、遊星型ミキサ、１軸又は多軸スクリュー押出成形機、動的又は静的ミキサ、コロイドミル、ホモジナイザー、Ｓｏｎｏｌａｔｏｒ、又はこれらの組み合わせなどの任意の種類の混合及びせん断装置を用いて、この工程を実施できる。
【００８４】
典型的には、モル比〜１：１で、≡Ｓｉ−Ｈ含有ポリシロキサン及びα，ω−ジエンが使用される。材料は、≡Ｓｉ−Ｈ含有ポリシロキサン又はα，ω−ジエンのいずれかを過剰に用いてプロセスを実施することにより調製することもできるものの、この手法は材料の利用効率が劣ると考えられる。組成物の残部は、概して組成物の約６５〜９８、又は約８０〜９８重量％の範囲内の量で低分子量シリコーン油又は他の溶媒を含む。
【００８５】
好適なシリコーンエラストマーの第２の非限定例：
別の好適なシリコーンエラストマーは、それぞれ構成成分（Ａ）、（Ｂ）、及び（Ｃ）である、オルガノハイドロジェンシロキサン、α，ω−不飽和ポリオキシアルキレン、及びヒドロシリル化触媒のヒドロシリル化反応生成物として得ることができる。用語「ヒドロシリル化」とは、触媒（例えば、成分（Ｃ））の存在下、ケイ素結合水素を含有する有機ケイ素化合物（例えば、成分（Ａ））を脂肪族不飽和を含有する化合物（例えば、成分（Ｂ））に付加することを意味する。ヒドロシリル化反応は当該技術分野において既知であり、任意のこのような既知の方法又は技術を用いて、成分（Ａ）、（Ｂ）、及び（Ｃ）のヒドロシリル化反応を行って、シリコーン有機エラストマーを調製することができる。
【００８６】
シリコーン有機エラストマーは、独立して、２〜３０個の炭素原子を含有する炭化水素基、ポリオキシアルキレン基、及びこれらの混合物から選択された、ペンダントの非架橋部分も含有し得る。かかるペンダント基は、ヒドロシリル化反応による、構成成分（Ｄ’）末端不飽和脂肪族基を１個有し２〜３０個の炭素原子を含有する炭化水素、及び／又は構成成分（Ｄ’’）末端不飽和脂肪族基を１個有するポリオキシアルキレンの、シリコーン有機エラストマーに対する任意選択的な付加により得られる。
【００８７】
シリコーン有機エラストマーを調製するためのヒドロシリル化反応は、溶媒の存在下で実施してよく、かかる溶媒は、後で、既知の技術によって除去される。あるいは、ヒドロシリル化は、溶媒中で実施してもよく、この場合、かかる溶媒は、本明細書において成分Ｂ）として記載されるキャリアフルイドと同じである。
【００８８】
構成成分（Ａ）は、１分子当たり平均して少なくとも２つのＳｉＨ単位を有する直鎖状又は分枝状オルガノハイドロジェンシロキサンである。本明細書で使用するとき、オルガノハイドロジェンシロキサンは、ケイ素結合水素原子（ＳｉＨ）を含有する任意のオルガノポリシロキサンである。オルガノポリシロキサンは、独立して（Ｒ３ＳｉＯ０．５）、（Ｒ２ＳｉＯ）、（ＲＳｉＯ１．５）、又は（ＳｉＯ２）のシロキシ単位から選択されたシロキシ単位を含むポリマーであり、Ｒは、任意の有機基、例えばメチル基であってよい。これらシロキシ単位を様々な方法で組み合わせて、環状、直鎖状又は分枝状の構造を形成することができる。得られるポリマー構造の化学的及び物理的性質は多様であり得る。例えば、オルガノポリシロキサンは、揮発性又は低粘度の流体、高粘度の流体、ガム、エラストマー又はゴム、及び樹脂であり得る。
【００８９】
オルガノハイドロジェンシロキサンは、少なくとも１つのＳｉＨ含有シロキシ単位を有するオルガノポリシロキサンであり、すなわち、オルガノポリシロキサン中の少なくとも１つのシロキシ単位は、式（Ｒ２ＨＳｉＯ０．５）、（ＲＨＳｉＯ）又は（ＨＳｉＯ１．５）を有する。したがって、本明細書で有用なオルガノハイドロジェンシロキサンは、分子中に平均して少なくとも２つのＳｉＨシロキシ単位があること、及びオルガノハイドロジェンシロキサンが直鎖状又は分枝状であることを条件として、（Ｒ３ＳｉＯ０．５）、（Ｒ２ＳｉＯ）、（ＲＳｉＯ１．５）、（Ｒ２ＨＳｉＯ０．５）、（ＲＨＳｉＯ）、（ＨＳｉＯ１．５）、又は（ＳｉＯ２）シロキシ単位を任意の数で含み得る。本明細書で使用するとき、「直鎖状又は分枝状」オルガノハイドロジェンシロキサンは、環状オルガノハイドロジェンシロキサン構造を除外する。成分（Ａ）は、単一の直鎖状又は分枝状のオルガノハイドロジェンシロキサンであってもよく、又は構造、粘度、平均分子量、シロキシ単位、及び配列の特性のうちの少なくとも１つが異なる２以上の直鎖状又は分枝状のオルガノハイドロジェンシロキサンを含む組み合わせであってもよい。
【００９０】
オルガノハイドロジェンシロキサンは、次の平均式を有し得る：（Ｒ１３ＳｉＯ０．５）ｖ（Ｒ２２ＳｉＯ）ｘ（Ｒ２ＨＳｉＯ）ｙ［式中、Ｒ１は、水素又はＲ２であり、Ｒ２は、一価のヒドロカルビルであり、ｖは、≧２であり、ｘは、≧０、１〜５００、又は１〜２００であり、並びにｙは、≧２、２〜２００、又は２〜１００である］。
【００９１】
Ｒ２は、置換又は非置換脂肪族又は芳香族ヒドロカルビルであってよい。一価の非置換脂肪族ヒドロカルビルは、アルキル基、例えば、メチル、エチル、プロピル、ペンチル、オクチル、ウンデシル、及びオクタデシルなど、並びにシクロアルキル基、例えば、シクロヘキシルなどにより例示されるがこれらに限定されない。一価の置換脂肪族ヒドロカルビルは、クロロメチル、３−クロロプロピル及び３，３，３−トリフルオロプロピルなどのハロゲン化アルキル基により例示されるが、これらに限定されない。芳香族炭化水素基は、フェニル、トリル、キシリル、ベンジル、スチリル、及び２−フェニルエチルによって例示されるが、これらに限定されない。
【００９２】
一実施形態では、オルガノハイドロジェンシロキサンは、追加のシロキシ単位を含有してよく、平均式：（Ｒ１３ＳｉＯ０．５）ｖ（Ｒ２２ＳｉＯ）ｘ（Ｒ２ＨＳｉＯ）ｙ（Ｒ２ＳｉＯ１．５）ｚ、（Ｒ１３ＳｉＯ０．５）ｖ（Ｒ２２ＳｉＯ）ｘ（Ｒ２ＨＳｉＯ）ｙ（ＳｉＯ２）ｗ、（Ｒ１３ＳｉＯ０．５）ｖ（Ｒ２２ＳｉＯ）ｘ（Ｒ２ＨＳｉＯ）ｙ（ＳｉＯ２）ｗ（Ｒ２ＳｉＯ１．５）ｚ、又はこれらの任意の混合物を有し得る［式中、Ｒ１は、水素又はＲ２であり、Ｒ２は、一価のヒドロカルビルであり、ｖは、≧２であり、ｗは、≧０であり、ｘは、≧０であり、ｙは、≧２であり、ｚは、≧０である］。
【００９３】
一実施形態では、オルガノハイドロジェンシロキサンは、平均式：（ＣＨ３）３ＳｉＯ［（ＣＨ３）２ＳｉＯ］ｘ［（ＣＨ３）ＨＳｉＯ］ｙＳｉ（ＣＨ３）３を有するジメチル、メチル−ハイドロジェンポリシロキサンから選択される［式中、ｘは、≧０、１〜５００、又は１〜２００であり、ｙは、≧２、２〜２００、又は２〜１００である］。
【００９４】
一実施形態では、オルガノハイドロジェンシロキサンは、平均式：（ＣＨ３）３ＳｉＯ［（ＣＨ３）２ＳｉＯ］ｘ［（ＣＨ３）ＨＳｉＯ］ｙＳｉ（ＣＨ３）３を有するジメチル、メチル−ハイドロジェンポリシロキサンと、平均式：Ｈ（ＣＨ３）２ＳｉＯ［（ＣＨ３）２ＳｉＯ］ｘＳｉ（ＣＨ３）２Ｈを有するＳｉＨ末端ジメチルポリシロキサンとの混合物である［式中、ｘ及びｙは、上記に定義のとおりである］。混合物中の各オルガノハイドロジェンシロキサンの量を変更してもよく、あるいは、混合物中、混合物中の全ＳｉＨの０〜８５重量％、あるいは１０〜７０重量％、あるいは２０〜６０重量％、あるいは３０〜５０重量％が、ＳｉＨ末端ジメチルポリシロキサンのＳｉＨ含量であるような量にしてもよい。オルガノハイドロジェンシロキサンの調製方法は周知であり、多くが市販されている。
【００９５】
構成成分（Ｂ）は、平均式：Ｒ３Ｏ−［（Ｃ２Ｈ４Ｏ）ｃ（Ｃ３Ｈ６Ｏ）ｄ（Ｃ４Ｈ８Ｏ）ｅ］−Ｒ３を有するポリオキシアルキレンである［式中、Ｒ３は、２〜１２個の炭素原子を含有する一価の不飽和脂肪族炭化水素基であり、（ｄ＋ｅ）／（ｃ＋ｄ＋ｅ）の比が＞０．５、＞０．８、又は＞０．９５になるという条件で、「ｃ」は、０〜５０、０〜１０、又は＜２であり、「ｄ」は、０〜１００、１〜１００、又は５〜５０であり、「ｅ」は、０〜１００、０〜５０、又は０〜３０である］。
【００９６】
構成成分（Ｂ）として有用なポリオキシアルキレンは、各分子鎖末端（すなわち、α位及びω位）において、２〜１２個の炭素原子を含む不飽和脂肪族炭化水素基で終結する任意のポリオキシアルキレンであってよい。ポリオキシアルキレンは、エチレンオキシド、プロピレンオキシド、ブチレンオキシド、１，２−エポキシヘキサン、１，２−エポキシオクタン、環状エポキシド（例えば、シクロヘキセンオキシド又はエキソ−２，３−エポキシノルボルネン（ｅｐｏｘｙｎｏｒｂｏｒａｎｅ）など）の重合により得ることができる。ポリオキシアルキレン基は、オキシエチレン単位（Ｃ２Ｈ４Ｏ）、オキシプロピレン単位（Ｃ３Ｈ６Ｏ）、オキシブチレン単位（Ｃ４Ｈ８Ｏ）、又はこれらの混合物を含み得る。典型的には、ポリオキシアルキレン基は、モル基準で定義され、上記の式中、下付き文字［ｃ」、「ｄ」、及び「ｅ」で示されるとおりの、オキシプロピレン単位又はオキシブチレン単位を大部分に含む。不飽和脂肪族炭化水素基は、アルケニル基又はアルキニル基であってよい。アルケニル基及びアルキニル基の代表的な非限定例は、上記の構造により示される。
【００９７】
一実施形態では、ポリオキシアルキレンは、Ｈ２Ｃ＝ＣＨＣＨ２Ｏ［Ｃ３Ｈ６Ｏ］ｄＣＨ２ＣＨ＝ＣＨ２、Ｈ２Ｃ＝Ｃ（ＣＨ３）ＣＨ２Ｏ［Ｃ３Ｈ６Ｏ］ｄＣＨ２Ｃ（ＣＨ３）＝ＣＨ２、ＨＣ≡ＣＣＨ２Ｏ［Ｃ３Ｈ６Ｏ］ｄＣＨ２Ｃ≡ＣＨ、及びＨＣ≡ＣＣ（ＣＨ３）２Ｏ［Ｃ３Ｈ６Ｏ］ｄＣ（ＣＨ３）２Ｃ≡ＣＨから選択される［式中、「ｄ」は、上記に定義のとおりである］。
【００９８】
各分子末端に不飽和脂肪族炭化水素基を有するポリオキシアルキレンは当該技術分野において既知であり、多くが市販されている。各分子末端に不飽和脂肪族炭化水素基を有するポリオキシアルキレンは、ＮＯＦ（Ｎｉｐｐｏｎ  Ｏｉｌ  ａｎｄ  Ｆａｔ（Ｔｏｋｙｏ，Ｊａｐａｎ））及びＣｌａｒｉａｎｔ  Ｃｏｒｐ．（Ｃｈａｒｌｏｔｔｅｓｖｉｌｌｅ，ＮＣ）から市販されている。
【００９９】
ヒドロシリル化反応で使用される構成成分（Ａ）及び（Ｂ）の量は、変更してもよい。典型的に、成分（Ａ）のＳｉＨ単位の成分（Ｂ）の脂肪族不飽和基に対するモル比は、１０／１〜１／１０、５／１〜１／５、又は２／１〜１／２の範囲である。１つの実施形態では、（Ｂ）中の不飽和脂肪族炭化水素基の（Ａ）中のＳｉＨ単位に対するモル比は、＞１である。
【０１００】
成分（Ｃ）は、ヒドロシリル化反応に典型的に用いられる任意の触媒を含む。好適な触媒及びその量は上記のとおりであり、例えば、白金族金属含有触媒である。
【０１０１】
シリコーン有機エラストマーは、独立して、２〜３０個の炭素原子を含有する炭化水素基、ポリオキシアルキレン基、及びこれらの混合物から選択された、ペンダントの非架橋部分も含有し得る。これらの基は、末端に不飽和脂肪族炭化水素基を１つ有する有機化合物である成分（Ｄ）を添加することによって、ヒドロシリル化反応を介してシリコーン有機エラストマー上に形成される。構成成分（Ｄ）は、（Ｄ’）末端に不飽和脂肪族炭化水素基を１つ有し６〜３０個の炭素原子を含有する炭化水素、及び／又は構成成分（Ｄ’’）末端に不飽和脂肪族基を１つ有するポリオキシアルキレンから選択され得る。
【０１０２】
成分（Ｄ）の添加は、得られるシリコーン有機エラストマーの化学的及び物理的特性を変更し得る。例えば、（Ｄ’）を選択すると、シリコーン有機エラストマーに炭化水素基が付加されるので、より疎水性の特徴がシリコーン有機エラストマーに付与される。逆に、エチレンオキシド単位の大部分を有するポリオキシアルキレンを選択すると、より親水性の高いシリコーン有機エラストマーが得られ、これは、後に、水又は親水性成分をシリコーン有機エラストマーと組み合わせて、分散液又はペーストを形成することができる。
【０１０３】
（Ｄ’）又は（Ｄ’’）中の不飽和脂肪族炭化水素基は、アルケニル基又はアルキニル基であってよい。アルケニル基及びアルキニル基の代表的な非限定例は、上記の構造により示される。
【０１０４】
構成成分（Ｄ’）、末端に不飽和脂肪族基を１つ有し６〜３０個の炭素原子を含有する炭化水素は、α−オレフィン、例えば、１−ヘキセン、１−オクテン、１−デセン、１−ウンデセン、１−デカデセン、及び同様の同族体などから選択され得る。構成成分（Ｄ’）は、α−メチルスチレンなどのアリール含有炭化水素から選択することもできる。
【０１０５】
構成成分（Ｄ’’）は、平均式：Ｒ３Ｏ−［（Ｃ２Ｈ４Ｏ）ｃ’（Ｃ３Ｈ６Ｏ）ｄ’（Ｃ４Ｈ８Ｏ）ｅ］−Ｒ４を有するポリオキシアルキレンから選択され得る［式中、Ｒ３は、２〜１２個の炭素原子を含む一価の不飽和脂肪族炭化水素基であり、ｃ’、ｄ’、及びｅの合計が＞０になるという条件で、ｃ’は、０〜１００であり、ｄ’は、０〜１００であり、ｃ’、ｄ’、及び「ｅ」は、０〜１００である］。Ｒ４は、水素、アシル基、又は１〜８個の炭素を含有する一価の炭化水素基である。構成成分（Ｄ’’）として有用なポリオキシアルキレンの代表的な非限定例としては、
Ｈ２Ｃ＝ＣＨＣＨ２Ｏ（Ｃ２Ｈ４Ｏ）ｃ’Ｈ、Ｈ２Ｃ＝ＣＨＣＨ２Ｏ（Ｃ２Ｈ４Ｏ）ｃ’ＣＨ３、Ｈ２Ｃ＝ＣＨＣＨ２Ｏ（Ｃ２Ｈ４Ｏ）ｃ’Ｃ（Ｏ）ＣＨ３、Ｈ２Ｃ＝ＣＨＣＨ２Ｏ（Ｃ２Ｈ４Ｏ）ｃ’（Ｃ３Ｈ６Ｏ）ｄ’Ｈ、Ｈ２Ｃ＝ＣＨＣＨ２Ｏ（Ｃ２Ｈ４Ｏ）ｃ’（Ｃ３Ｈ６Ｏ）ｄ’ＣＨ３、Ｈ２Ｃ＝Ｃ（ＣＨ３）ＣＨ２Ｏ（Ｃ２Ｈ４Ｏ）ｃ’Ｈ、Ｈ２Ｃ＝ＣＨＣ（ＣＨ３）２Ｏ（Ｃ２Ｈ４Ｏ）ｃ’Ｈ、Ｈ２Ｃ＝Ｃ（ＣＨ３）ＣＨ２Ｏ（Ｃ２Ｈ４Ｏ）ｃ’ＣＨ３、Ｈ２Ｃ＝Ｃ（ＣＨ３）ＣＨ２Ｏ（Ｃ２Ｈ４Ｏ）ｃ’Ｃ（Ｏ）ＣＨ３、Ｈ２Ｃ＝Ｃ（ＣＨ３）ＣＨ２Ｏ（Ｃ２Ｈ４Ｏ）ｃ’（Ｃ３Ｈ６Ｏ）ｄ’Ｈ、Ｈ２Ｃ＝Ｃ（ＣＨ３）ＣＨ２Ｏ（Ｃ２Ｈ４Ｏ）ｃ’（Ｃ３Ｈ６Ｏ）ｄ’ＣＨ３、ＨＣ≡ＣＣＨ２Ｏ（Ｃ２Ｈ４Ｏ）ｃ’Ｈ、ＨＣ≡ＣＣＨ２Ｏ（Ｃ２Ｈ４Ｏ）ｃ’ＣＨ３、ＨＣ≡ＣＣＨ２Ｏ（Ｃ２Ｈ４Ｏ）ｃ’Ｃ（Ｏ）ＣＨ３、ＨＣ≡ＣＣＨ２Ｏ（Ｃ２Ｈ４Ｏ）ｃ’（Ｃ３Ｈ６Ｏ）ｄ’Ｈ、ＨＣ≡ＣＣＨ２Ｏ（Ｃ２Ｈ４Ｏ）ｃ’（Ｃ３Ｈ６Ｏ）ｄ’ＣＨ３、ＨＣ≡ＣＣＨ２Ｏ（Ｃ２Ｈ４Ｏ）ｃ’Ｃ（Ｏ）ＣＨ３、が挙げられる（式中、ｃ’及びｄ’は、上に定義したとおりである）。
【０１０６】
ポリエーテルは、ポリエーテルの教示に関する１つ以上の非限定的な実施形態における参照により本明細書において明示的に援用される米国特許第６，９８７，１５７号に記載されるものから選択されてよい。
【０１０７】
構成成分（Ｄ’）又は（Ｄ’’）を、形成中（すなわち、第１の反応において構成成分（Ａ）、（Ｂ）、（Ｃ）及び（Ｄ）を同時に反応させる（例えば、構成成分（Ａ）のＳｉＨ基の一部の量を（Ｃ）及び（Ｄ）と反応させる））にシリコーン有機エラストマーに添加した後、（Ｂ）との更なる反応を続けてもよく、あるいは、ＳｉＨ含量（例えば、シリコーン有機エラストマー上に存在する未反応ＳｉＨ単位由来）を有する形成されたシリコーン有機エラストマーに後で添加してもよい。
【０１０８】
ヒドロシリル化反応に用いられる構成成分（Ｄ’）又は（Ｄ）の量を変更しても良いものの、但し、構成成分（Ｂ）及び（Ｄ）の反応中に存在する脂肪族不飽和基の総モル量は、構成成分（Ａ）のＳｉＨ単位の、構成成分（Ｂ）及び構成成分（Ｄ）の脂肪族不飽和基に対するモル比が１０／１〜１／１０の範囲になるような量である。
【０１０９】
好適なシリコーンエラストマーの第３の非限定例：
（Ａ）平均式：（Ｒ１３ＳｉＯ０．５）ｖ（Ｒ２２ＳｉＯ）ｘ（Ｒ２ＨＳｉＯ）ｙのシロキシ単位を含むオルガノハイドロジェンシロキサンと［式中、Ｒ１は、水素又はＲ２であり、Ｒ２は、一価のヒドロカルビルであり、ｖは、≧２であり、ｘは、≧０であり、ｙは、≧２である］、（Ｂ）平均式：Ｒ３Ｏ−［（Ｃ２Ｈ４Ｏ）ｃ（Ｃ３Ｈ６Ｏ）ｄ（Ｃ４Ｈ８Ｏ）ｅ］−Ｒ３を有する第１のポリオキシアルキレンと［式中、Ｒ３は、２〜１２個の炭素原子を含有する一価の不飽和脂肪族炭化水素基であり、（ｄ＋ｅ）／（ｃ＋ｄ＋ｅ）の比が＞０．５であるという条件で、「ｃ」は、０〜５０であり、「ｄ」は、０〜１００であり、「ｅ」は、０〜１００である］、（Ｃ）ヒドロシリル化触媒と、（Ｄ）平均式：Ｒ３Ｏ−［（Ｃ２Ｈ４Ｏ）ｃ’（Ｃ３Ｈ６Ｏ）ｄ’（Ｃ４Ｈ８Ｏ）ｅ］−Ｒ４を有する第２のポリオキシアルキレンと［式中、Ｒ３は、２〜１２個の炭素原子を含有する一価の不飽和脂肪族炭化水素基であり、ｃ’は、＞４であり、ｄ’及び「ｅ」は、０〜１００で変化し得るものであり、Ｒ４は、水素、アシル基、又は１〜８個の炭素原子を含有する一価の炭化水素基である］、を疎水性キャリアフルイドの存在下で反応させることにより、別の好適なシリコーンエラストマーを得ることができる。
【０１１０】
構成成分（Ａ）は、平均式：（Ｒ１３ＳｉＯ０．５）ｖ（Ｒ２２ＳｉＯ）ｘ（Ｒ２ＨＳｉＯ）ｙを有する直鎖状又は分枝状オルガノハイドロジェンシロキサンである［式中、Ｒ１は、水素又はＲ２であり、Ｒ２は、一価のヒドロカルビルであり、ｖは、≧２であり、ｘは、≧０、１〜５００、又は１〜２００であり、並びにｙは、≧２、２〜２００、又は２〜１００である］。
【０１１１】
Ｒ２は、置換又は非置換脂肪族又は芳香族ヒドロカルビルであってよい。一価の非置換脂肪族ヒドロカルビルは、アルキル基、例えば、メチル基、エチル基、プロピル基、ペンチル基、オクチル基、ウンデシル基、及びオクタデシル基など、並びにシクロアルキル基、例えば、シクロヘキシル基などにより例示されるがこれらに限定されない。一価の置換脂肪族ヒドロカルビルは、クロロメチル基、３−クロロプロピル基、及び３，３，３−トリフルオロプロピル基などのハロゲン化アルキル基により例示されるが、これらに限定されない。芳香族炭化水素基は、フェニル基、トリル基、キシリル基、ベンジル基、スチリル基、及び２−フェニルエチル基によって例示されるが、これらに限定されない。
【０１１２】
一実施形態では、オルガノハイドロジェンシロキサンは、追加のシロキシ単位を含有してよく、平均式：（Ｒ１３ＳｉＯ０．５）ｖ（Ｒ２２ＳｉＯ）ｘ（Ｒ２ＨＳｉＯ）ｙ（Ｒ２ＳｉＯ１．５）ｚ、（Ｒ１３ＳｉＯ０．５）ｖ（Ｒ２２ＳｉＯ）ｘ（Ｒ２ＨＳｉＯ）ｙ（ＳｉＯ２）ｗ、（Ｒ１３ＳｉＯ０．５）ｖ（Ｒ２２ＳｉＯ）ｘ（Ｒ２ＨＳｉＯ）ｙ（ＳｉＯ２）ｗ（Ｒ２ＳｉＯ１．５）ｚ、又はこれらの任意の混合物を有し得る［式中、Ｒ１は、水素又はＲ２であり、Ｒ２は、一価のヒドロカルビルであり、ｖは、≧２であり、ｗは、≧０であり、ｘは、≧０であり、ｙは、≧２であり、ｚは、≧０である］。
【０１１３】
一実施形態では、オルガノハイドロジェンシロキサンは、平均式：（ＣＨ３）３ＳｉＯ［（ＣＨ３）２ＳｉＯ］ｘ［（ＣＨ３）ＨＳｉＯ］ｙＳｉ（ＣＨ３）３を有するジメチル、メチル−ハイドロジェンポリシロキサンから選択される［式中、ｘは、≧０、１〜５００、又は１〜２００であり、ｙは、≧２、２〜２００、又は２〜１００である］。オルガノハイドロジェンシロキサンの調製方法は周知であり、多くが市販されている。
【０１１４】
構成成分（Ｂ）は、平均式：Ｒ３Ｏ−［（Ｃ２Ｈ４Ｏ）ｃ（Ｃ３Ｈ６Ｏ）ｄ（Ｃ４Ｈ８Ｏ）ｅ］−Ｒ３を有するポリオキシアルキレンである［式中、Ｒ３は、２〜１２個の炭素原子を含有する一価の不飽和脂肪族炭化水素基であり、式中、（ｄ＋ｅ）／（ｃ＋ｄ＋ｅ）の比が＞０．５、＞０．８、又は＞０．９５になるという条件で、「ｃ」は、０〜５０、０〜１０、又は＜２であり、「ｄ」は、０〜１００、１〜１００、又は５〜５０であり、「ｅ」は、０〜１００、０〜５０、又は０〜３０である］。
【０１１５】
構成成分（Ｂ）として有用なポリオキシアルキレンは、各分子鎖末端（すなわち、α位及びω位）において、２〜１２個の炭素原子を含む不飽和脂肪族炭化水素基で終結する任意のポリオキシアルキレンである。ポリオキシアルキレンは、エチレンオキシド、プロピレンオキシド、ブチレンオキシド、１，２−エポキシヘキサン、１，２−エポキシオクタン、環状エポキシド（例えば、シクロヘキセンオキシド又はエキソ−２，３−エポキシノルボルネン（ｅｐｏｘｙｎｏｒｂｏｒａｎｅ）など）の重合により得ることができる。ポリオキシアルキレン基は、オキシエチレン単位、オキシプロピレン単位、オキシブチレン単位、又はこれらの混合物から構成されてよい。典型的には、ポリオキシアルキレン基は、モル基準で定義され、上記の式中、下付き文字［ｃ」、「ｄ」、及び「ｅ」で示されるとおりの、オキシプロピレン単位又はオキシブチレン単位を大部分に含む。不飽和脂肪族炭化水素基は、アルケニル基又はアルキニル基であってよい。アルケニル基及びアルキニル基の代表的な非限定例は、上記の構造により示される。
【０１１６】
一実施形態では、ポリオキシアルキレンは、Ｈ２Ｃ＝ＣＨＣＨ２Ｏ［Ｃ３Ｈ６Ｏ］ｄＣＨ２ＣＨ＝ＣＨ２、Ｈ２Ｃ＝Ｃ（ＣＨ３）ＣＨ２Ｏ［Ｃ３Ｈ６Ｏ］ｄＣＨ２Ｃ（ＣＨ３）＝ＣＨ２、ＨＣ≡ＣＣＨ２Ｏ［Ｃ３Ｈ６Ｏ］ｄＣＨ２Ｃ≡ＣＨ、及びＨＣ≡ＣＣ（ＣＨ３）２Ｏ［Ｃ３Ｈ６Ｏ］ｄＣ（ＣＨ３）２Ｃ≡ＣＨから選択される［式中、「ｄ」は、上記に定義のとおりである］。
【０１１７】
各分子末端に不飽和脂肪族炭化水素基を有するポリオキシアルキレンは当該技術分野において既知であり、多くが市販されている。各分子末端に不飽和脂肪族炭化水素基を有するポリオキシアルキレンは、ＮＯＦ（Ｎｉｐｐｏｎ  Ｏｉｌ  ａｎｄ  Ｆａｔ（Ｔｏｋｙｏ，Ｊａｐａｎ））及びＣｌａｒｉａｎｔ  Ｃｏｒｐ．（Ｃｈａｒｌｏｔｔｅｓｖｉｌｌｅ，ＮＣ）から市販されている。
【０１１８】
成分（Ｃ）は、ヒドロシリル化反応に典型的に用いられる任意の触媒を含む。好適な触媒及びその量は上記のとおりであり、例えば、白金族金属含有触媒である。
【０１１９】
このシリコーン有機エラストマーは、ペンダント非架橋ポリオキシアルキレン基を含有する。これらの基は、平均式：Ｒ３Ｏ−［（Ｃ２Ｈ４Ｏ）ｃ’（Ｃ３Ｈ６Ｏ）ｄ’（Ｃ４Ｈ８Ｏ）ｅ’］−Ｒ４を有する構成成分（Ｄ）第２のポリオキシアルキレンを付加することによるヒドロシリル化反応を介し、シリコーン有機エラストマー上に形成される［式中、Ｒ３は、２〜１２個の炭素原子を含有する一価の不飽和脂肪族炭化水素基であり、ｃ’は、＞４であり、ｄ’及びｅ’は、０〜１００で変化し得るものであり、Ｒ４は、水素、アシル基、又は１〜８個の炭素原子を含有する一価の炭化水素基である］。
【０１２０】
（Ｄ）中の不飽和脂肪族炭化水素基は、アルケニル基又はアルキニル基であってよい。アルケニル基及びアルキニル基の代表的な非限定例は、上記の構造により示される。構成成分（Ｄ）として有用なポリオキシアルキレンの代表的な非限定例は、（Ｄ’’）について上記に与えた構造を含む［式中、ｃ’及びｄ’も上記に定義のとおりである］。
【０１２１】
ポリエーテルは、ポリエーテルの教示に関する１つ以上の非限定的な実施形態における参照により本明細書において明示的に援用される米国特許第６，９８７，１５７号に記載されるものから選択されてよい。
【０１２２】
構成成分（Ｄ）を、第１の反応において、形成中（すなわち、構成成分（Ａ）、（Ｂ）、（Ｃ）及び（Ｄ）を同時に反応させる）にシリコーン有機エラストマーに添加した後、（Ｂ）との更なる反応を続けてもよく、あるいは（例えば、構成成分（Ａ）のＳｉＨ基の一部の量を（Ｃ）及び（Ｄ）と反応させる）のいずれかにしてよく、あるいはＳｉＨ含量（例えば、シリコーン有機エラストマー上に存在する未反応ＳｉＨ単位由来）を有する形成されたシリコーン有機エラストマーに後で添加してもよい。
【０１２３】
ヒドロシリル化反応に用いる構成成分（Ａ）、（Ｂ）、及び（Ｄ）の量を変更しても良いものの、但し、構成成分（Ｂ）及び（Ｄ）の反応中に存在する脂肪族不飽和基の総モル量は、構成成分（Ａ）のＳｉＨ単位の、構成成分（Ｂ）及び構成成分（Ｄ）の脂肪族不飽和基に対するモル比が１０／１〜１／１０の範囲になるような量である。しかし、典型的には、（Ｂ）及び（Ｄ）中の不飽和脂肪族炭化水素基と（Ａ）中のＳｉＨ単位のモル比は＞１、ＳｉＨの完全な消費を確実なものとする。
【０１２４】
ヒドロシリル化反応に用いられる（Ｂ）及び（Ｄ）の量及び構造を変更しても良い。しかし、（Ｂ）及び（Ｄ）の使用量及び構造は、２〜２５重量％、あるいは３〜２０重量％、あるいは４〜１８重量％のエチレンオキシド含量を有するシリコーン有機エラストマーを提供するようにする。本明細書で用いるとき、エチレンオキシド含量は、シリコーン有機エラストマー構造体上に存在する「ＥＯ」基（つまり、−ＣＨ２ＣＨ２Ｏ−）の平均量を意味する。
【０１２５】
一実施形態では、シリコーン有機エラストマーはポリオキシプロピレン鎖で架橋され、シリコーン有機エラストマーはペンダントポリオキシエチレン単位を更に含有する。この実施形態では、構成成分（Ｂ）はポリオキシアルキレン基としてプロピレンオキシドのみを含有し、構成成分（Ｄ）はポリオキシアルキレン基としてエチレンオキシドのみを含有するように選択される。したがって、この実施形態では、構成成分（Ｂ）は、式：Ｒ３Ｏ−［（Ｃ３Ｈ６Ｏ）ｄ’］−Ｒ３を有する［式中、Ｒ３は、上記の定義と同様であり、ｄ’は、＞０、４〜５０、又は１０〜３０である］。構成成分（Ｂ）の十分な量を用いて、プロピレンオキシド含量が５〜５０重量％であるシリコーンエラストマーを提供する。本実施形態において、構成成分（Ｄ）は、式：Ｒ３Ｏ−［（Ｃ２Ｈ４Ｏ）ｃ’］−Ｒ４を有する［式中、Ｒ３及びＲ４は、上記の定義と同様であり、ｃ’は、＞４、４〜５０、又は１０〜３０である］。十分な量の構成成分（Ｄ）を用いて、エチレンオキシド含量が２〜２５重量％であるシリコーンエラストマーを提供する。
【０１２６】
構成成分（Ａ）、（Ｂ）、（Ｃ）及び（Ｄ）の添加順を変更しても良い。しかし、一実施形態では、シリコーンエラストマーを調製する反応は２つの工程で進む。第１に、構成成分（Ａ）、（Ｃ）、及び（Ｄ）を反応させオルガノハイドロジェンシロキサンポリオキシエチレンコポリマーを形成し、第２には、オルガノハイドロジェンシロキサンポリオキシエチレンコポリマーを構成成分（Ｂ）及び追加量の（Ｃ）と反応させる。
【０１２７】
更に追加の実施形態において、シリコーンエラストマーは、架橋シリコーンエラストマーであり、例えば、溶媒フルイド又は油フルイド又はキャリアフルイド中の溶液として架橋されている。一実施形態では、架橋シリコーンエラストマーは、エラストマー粒子を懸濁及び膨潤させて、弾性のあるゲル様のネットワーク又はマトリックスを提供する溶媒を含む。溶媒は、周囲条件下では液体であり、好ましくは皮膚上に広げるため低粘度を有する。液体キャリアは、有機、シリコーン含有又はフッ素含有、揮発性又は不揮発性、極性又は非極性、あるいはこれらの任意の組み合わせであってよい。
【０１２８】
他の実施形態において、シリコーンエラストマーは、疎水性又は非乳化架橋シリコーンエラストマーである。典型的には、これらは、白金触媒及びキャリアフルイドの存在下での、ＳｉＨ含有ポリシロキサン（又は樹脂）と、α，ω−ジエンとの反応生成物である。α，ω−ジエンは、典型的には、オルガノポリシロキサン（アルケニル官能性ポリシロキサン又は樹脂）及び／又は炭化水素であり、但し、通常は（架橋種又はペンダント側鎖のいずれかとして）ポリオキシアルキレン基を含有しない。これらのエラストマーは、シリコーン又は有機（炭化水素、フェニルなど）側鎖のペンダント状分枝も有し得る。
【０１２９】
更に他の実施形態では、シリコーンエラストマーは、有機相溶性の疎水性又は非乳化架橋シリコーンエラストマーである。これらのエラストマーは、より多量又はより長鎖のペンダント側鎖又は架橋基（炭化水素又はポリオキシプロピレンジエン）の付加、及び／又は有機溶媒の使用のいずれかにより有機原料との相溶性が増大している傾向がある。これらのエラストマーは、シリコーン又は有機（炭化水素、フェニルなど）側鎖のペンダント状分枝も有し得る。典型的には、ポリオキシアルキレン又はポリグリセロール種ベースではペンダント部分又は架橋部分は存在しない。
【０１３０】
更なる実施形態では、シリコーンエラストマーは、親水性又は乳化架橋シリコーンエラストマーである。これらのエラストマーは、少なくとも１つのポリオキシアルキレン（ポリオキシエチレン（ＥＯ）又はポリオキシプロピレン（ＰＯ）又はポリグリセロール）、又は他のヒドロキシル基、又はもともとの特性としては疎水性である物質に水及びその他の極性溶媒／原料と相溶性にするという目的でなおも十分な親水性を提供するその他の部分、を有することにより、上記のものとは区別される傾向がある。これらのポリオキシアルキレン種は、架橋成分、又はペンダント鎖のいずれであっても、これらの両方であってもよい。加えて、これらのエラストマーは、シリコーン又は有機（炭化水素、フェニルなど）側鎖のペンダント状分枝も有し得る。組成物の好適なシリコーンエラストマーの具体例としては、ＤＯＷ  ＣＯＲＮＩＮＧ（登録商標）ＥＬ−７０４０、ＥＬ−８０４０、及びＥＬ−９２４０に含まれるものが挙げられる。
【０１３１】
任意選択的なエマルジョン
組成物は、エマルジョンとして提供され得る。本明細書で使用するとき、「エマルジョン」は、水を連続相とするエマルジョン（例えば、水中油型エマルジョン、又は水中シリコーン型エマルジョン）、油又はシリコーンを連続相とするエマルジョン（油中水型エマルジョン又はシリコーン中水型エマルジョン）、又は多相エマルジョン（水／油／水、油／水／油型、水／シリコーン／水、又はシリコーン／水／シリコーン）を記載する。組成物は、当該技術分野の任意の技術、例えば、撹拌、均質化、及び超音波処理などの、例えば、バッチプロセス、半連続プロセス、又は連続プロセスを使用して、エマルジョンとして提供され得る。
【０１３２】
エマルジョンの形成に使用される組成物の量は変更してもよく、限定されない。しかしながら、その量は、典型的には、ビヒクル／エマルジョン重量比が０．１／９９〜９９／０．１又は１／９９〜９９／１となる量であり得る。
【０１３３】
エマルジョンは、当該技術分野で既知のとおりのｗ／ｏ、ｗ／ｓ、又は多相エマルジョンであってよく、例えば、シリコーン乳化剤を使用したものであってよい。典型的には、シリコーン中水型（ｗａｔｅｒ−ｉｎ−ｓｉｌｉｃｏｎｅ）乳化剤は、このような処方に使用され、典型的には、非イオン性であり、典型的には、ポリオキシアルキレン置換シリコーン、シリコーンアルカノールアミド、シリコーンエステル、シリコーングリコシド、及びこれらの組み合わせから選択される。シリコーン系界面活性剤は、例えば、それぞれ、１つ以上の非限定的な実施形態における参照により本願に明示的に援用される、米国特許第４，１２２，０２９号、同第５，３８７，４１７号、及び同第５，８１１，４８７号に記載のものなどのかかるエマルジョンを形成するために使用され得る。例えば、ＤＯＷ  ＣＯＲＮＩＮＧ（登録商標）ＲＭ  ２０５１などの増粘剤も使用され得る。
【０１３４】
一実施形態では、エマルジョンは水中油型エマルジョンであり、例えば、ポリオキシエチレンアルキルエーテル、ポリオキシエチレンアルキルフェノールエーテル、ポリオキシエチレンラウリルエーテル、ポリオキシエチレンソルビタンモノオレアート、ポリオキシエチレンアルキルエステル、ポリオキシエチレンソルビタンアルキルエステル、ポリエチレングリコール、ポリプロピレングリコール、ジエチレングリコール、エトキシ化トリメチルノナノール、ポリオキシアルキレングリコール変性ポリシロキサン界面活性剤、及びこれらの組み合わせなどの非イオン性界面活性剤を挙げることができる。
【０１３５】
任意選択的な樹脂（複数可）及び／又はコポリマー（複数可）：
組成物は、以下の樹脂及び／又はコポリマーのうち１つ以上も含み得る。あるいは、ヒドロシリル化反応生成物は、例えば、前述のヒドロシリル化触媒の存在下での、環状シロキサンと、ポリオルガノシロキサンと、１種以上の以下の樹脂及び／又はコポリマーとの反応生成物であり得る。以下の樹脂及び／又はコポリマーも、以下に更に記載されるパーソナルケア組成物に使用でき、使用する場合、それらは、組成物と合わせて及び／又は組成物とは別に様々な量で含めることができる。
【０１３６】
様々な実施形態において、組成物はＭＱ樹脂を含む。ＭＱ樹脂は、本質的にＲ３ＳｉＯ１／２単位及びＳｉＯ４／２単位（それぞれＭ単位及びＱ単位）からなる高分子ポリマーであり、式中、Ｒは、官能性有機基又は非官能性有機基である。当業者であれば、ＭＱ樹脂は、限られた数のＤ単位及びＴ単位も含み得ることは認識されるであろう。具体的には、ＭＱ樹脂は、総シロキサン単位の≧８０ｍｏｌ％、あるいは≧９０ｍｏｌ％がＭ単位及びＱ単位であることを条件として、Ｄ単位及びＴ単位を含有し得る。あるいは、ＭＱ樹脂は、Ｄ単位及び／又はＴ単位を含まなくてもよい。
【０１３７】
ＭＱ樹脂は、式：（Ｒ１３ＳｉＯ１／２）ｍ（ＳｉＯ４／２）ｎのシロキシ単位を含むオルガノシロキサン樹脂であってよく、式中、各Ｒ１は、独立して選択された置換又は非置換ヒドロカルビル基であり、「ｍ」は、≧４であり、かつ「ｎ」は、≧１である。ｍ／ｎの比は様々であってよいものの、典型的には、約１．５〜１、０．６〜１、又は０．９〜１である。
【０１３８】
好適なヒドロカルビル基は上記のものである。ある種の実施形態において、各Ｒ１は、独立して選択された、１〜８個の炭素原子を有するアルキル基、アリール基、カルビノール基、又はアミノ基である。アルキル基は、概して、メチル基、エチル基、プロピル基、ブチル基、ペンチル基、ヘキシル基、及びオクチル基によって例示され、アルキル基は、典型的には、メチル基である。アリール基は、概して、フェニル基、ナフチル基、ベンジル基、トリル基、キシリル基、キセニル基、メチルフェニル基、２−フェニルエチル基、２−フェニル−２−メチルエチル基、クロロフェニル基、ブロモフェニル基及びフルオロフェニル基によって例示され、アリール基は典型的にフェニルである。
【０１３９】
「カルビノール」基は、概して、少なくとも１つの炭素結合ヒドロキシル（ＣＯＨ）基を含有する任意の基である。したがって、カルビノール基は、例えば、以下：
【０１４０】
【化４】
2018512491.tif 000006
【０１４１】
のようなＣＯＨ基を１超含有し得る。アリール基を含まない場合、カルビノール基は、典型的には、≧３の炭素原子を有する。かかるカルビノール基は、概して、式：Ｒ４ＯＨにより例示され、式中、Ｒ４は、≧３個の炭素原子を有する二価の炭化水素基又は炭化水素オキシ基である。Ｒ４は、例えば、式：−（ＣＨ２）ｘ−［式中、ｘは、３〜１０である］のものなど、あるいは式：−ＣＨ２ＣＨ（ＣＨ３）−、−ＣＨ２ＣＨ（ＣＨ３）ＣＨ２−、−ＣＨ２ＣＨ２ＣＨ（ＣＨ２ＣＨ３）ＣＨ２ＣＨ２ＣＨ２−、又は−ＯＣＨ（ＣＨ３）（ＣＨ２）ｘ−［式中、ｘは１〜１０である］のものなどのアルキレン基により例示される。
【０１４２】
アリール含有カルビノール基は、典型的には、≧６個の炭素原子を有する。かかるカルビノール基は、概して、式：Ｒ５ＯＨにより例示され、式中、Ｒ５は、６〜１４個の炭素原子を有するアリーレン基である。Ｒ５は、例えば、式：−（ＣＨ２）ｘ−［式中、ｘは、０〜１０である］のものなど、−ＣＨ２ＣＨ（ＣＨ３）（ＣＨ２）ｘＣ６Ｈ４−［式中、ｘは、０〜１０である］のものなど、あるいは−（ＣＨ２）ｘＣ６Ｈ４（ＣＨ２）ｘ−［式中、ｘは、１〜１０である］のものなどのアリーレン基により例示される。
【０１４３】
アミノ基は、式：−Ｒ６ＮＨ２又は−Ｒ６ＮＨＲ７ＮＨ２により例示され、式中、Ｒ６及びＲ７のそれぞれは、独立して、≧２個の炭素原子を有する二価の炭化水素基であり、典型的には、Ｒ６及びＲ７のそれぞれは、独立して、２〜２０個の炭素原子を有するアルキレン基である。Ｒ６及びＲ７のそれぞれは、独立して、エチレン、プロピレン、−ＣＨ２ＣＨＣＨ３−、ブチレン、−ＣＨ２ＣＨ（ＣＨ３）ＣＨ２−、ペンタメチレン、ヘキサメチレン、３−エチル−ヘキサメチレン、オクタメチレン、及びデカメチレンにより例示される。典型的なアミノ基としては、−ＣＨ２ＣＨ２ＣＨ２ＮＨ２、−ＣＨ２（ＣＨ３）ＣＨＣＨ２（Ｈ）ＮＣＨ３、−ＣＨ２ＣＨ２ＮＨＣＨ２ＣＨ２ＮＨ２、−ＣＨ２ＣＨ２ＮＨ２、−ＣＨ２ＣＨ２ＮＨＣＨ３、−ＣＨ２ＣＨ２ＣＨ２ＣＨ２ＮＨ２、−（ＣＨ２ＣＨ２ＮＨ）３Ｈ、及び−ＣＨ２ＣＨ２ＮＨＣＨ２ＣＨ２ＮＨＣ４Ｈ９が挙げられる。
【０１４４】
ＭＱ樹脂は、ヒドロキシ基も含み得る。様々な実施形態において、ＭＱ樹脂は、０〜１５、１〜１２、２〜１０、又は２〜５重量％の合計ヒドロキシ含量（重量％）を有する。また、ＭＱ樹脂を更に「キャップ」し、残存するヒドロキシ基を追加のＭ単位と反応させる。
【０１４５】
ＭＱ樹脂及びその調製方法は、当該技術分野において周知である。例えば、米国特許第２，８１４，６０１号は、酸を用いて水溶性ケイ酸塩をケイ酸モノマー又はケイ酸オリゴマーに変換することによって、ＭＱ樹脂を製造できることを開示している。適切な重合が達成されたとき、樹脂は、トリメチルクロロシランにより末端キャップされ、ＭＱ樹脂が生成される。ＭＱ樹脂を調製する別の方法は、米国特許第２，８５７，３５６号に記載されており、かかる特許文献は、アルキルシリケートと加水分解性トリアルキルシランオルガノポリシロキサンとの混合物を、水を用いて共加水分解することによって、ＭＱ樹脂を製造する方法を開示している。他の好適なＭＱ樹脂及びそれらの調製方法は、米国特許第６，０７５，０８７号、同第７，４５２，８４９号、同第７，８０３，３５８号、同第８，０１２，５４４号、同第８，０１７，７１２号、並びに国際公開第２０１０／０６５７１２号、及び同第２０１３／１１７４９０号に開示されている。前述の特許及び出願公開は、１つ以上の非限定的な実施形態における参照により明示的に本明細書に援用される。好適なＭＱ樹脂は市販されており、例えば、ＤＯＷ  ＣＯＲＮＩＮＧ（登録商標）ＭＱ−１６００固体樹脂、ＭＱ−１６０１固体樹脂、ＭＱ−１６４０フレーク樹脂、２１７フレーク、及び５−７１０４などである。
【０１４６】
使用する場合、ＭＱ樹脂は、様々な量で組成物に含めることができる。ある種の実施形態において、ＭＱ樹脂は、組成物１００重量部に対し、約０〜９９、１０〜９０、３０〜９０、又は４０〜８０の量で存在する。２つ以上の異なるＭＱ樹脂を使用してもよい。
【０１４７】
様々な実施形態において、組成物は、コポリマーを含む。ある種の実施形態において、コポリマーは、アクリレートコポリマーとも呼称され得る。好適なアクリレートコポリマーは市販されており、例えば、ＤＯＷ  ＣＯＲＮＩＮＧ（登録商標）ＦＡ  ４００１  ＣＭ  シリコーンアクリレート及びＤＯＷ  ＣＯＲＮＩＮＧ（登録商標）ＦＡ  ４００２  ＩＤシリコーンアクリレートなどである。
【０１４８】
アクリレートコポリマーは、不飽和カルボン酸のエステル、例えば、メチルアクリレート、エチルアクリレート、プロピルアクリレート、ｎ−ブチルアクリレート、イソブチルアクリレート、アミルアクリレート、ヘキシルアクリレート、２−エチルヘキシルアクリレート、シクロヘキシルアクリレート、ｎ−オクチルアクリレート、グリシジルアクリレート、２−ヒドロキシエチルアクリレート、２−ヒドロキシプロピルアクリレート、２，２，３，３−テトラフルオロプロピルアクリレート、オクタフルオロペンチルアクリレート、メチルメタクリレート、エチルメタクリレート、ｎ−ブチルメタクリレート、イソブチルメタクリレート、２−エチルヘキシル（ｅｔｈｙｈｅｘｙｌ）メタクリレート、ラウリルメタクリレート、トリデシルメタクリレート、ベンジルメタクリレート、シクロヘキシルメタクリレート、テトラヒドロフルフリルメタクリレート、２−ヒドロキシエチルメタクリレート、２−ヒドロキシプロピルメタクリレート、グリシジルメタクリレート、２−メトキシエチルメタクリレート、２−エトキシエチルメタクリレート、及びオクタフルオロペンチルメタクリレートなど、不飽和脂肪族カルボン酸、例えば、メタクリル酸及びアクリル酸など、不飽和脂肪族カルボン酸のアミド、例えば、アクリルアミド、メタクリルアミド、及びＮ−メチロールアクリルアミドなど、不飽和脂肪族ニトリル、例えば、アクリロニトリル及びメタクリロニトリルなど、不飽和脂肪族化合物、例えば、酢酸ビニル、プロピオン酸ビニル、及びバーサチック酸ビニルなど、不飽和カルボン酸無水物、例えば、無水マレイン酸及び４−メタクリルオキシエチルトリメリット酸無水物（４−ＭＥＴＡ）など、ハロゲン化ビニル、例えば、塩化ビニル及びフッ化ビニルなど、芳香族ビニル化合物、例えば、スチレン、メチルスチレン、ビニルトルエン、及びビニルピリジンなど、並びに脂肪族ジエン、例えば、ブタジエン及びイソプレンなどにより例示され得る、ラジカル重合可能な有機モノマーの反応により形成され得る。
【０１４９】
コポリマーは、例えば、１つ以上の非限定的な実施形態における参照により本明細書に明示的に援用される米国特許第６，３０６，９９２号に記載され、調製されたものなどのカルボシロキサンデンドリマーであってよい。好適なカルボシロキサンデンドリマーの例としては、一般式：
【０１５０】
【化５】
2018512491.tif 000007
【０１５１】
により表されるものが挙げられ、式中、各Ｒ１は、独立して、炭素原子１〜１０個のアルキル基又はアリール基であり、Ｒ２は、炭素が１〜１０個のアルキレン基を除く二価の有機基であり、「ｂ」は、１〜３であり、Ｘ１は、次の一般式（「ｉ」＝１であるとき）により表されるシリルアルキル基であり、
【０１５２】
【化６】
2018512491.tif 000008
【０１５３】
式中、Ｒ１は、上記のとおりに定義され、Ｒ３は、炭素が２〜１０個のアルキレン基であり、Ｒ４は、炭素が１〜１０個のアルキル基であり、Ｘｉ＋１は、水素、炭素が１〜１０個のアルキル基、アリール基、及びＸ１シリルアルキル基から選択され、「ｉ」は、上記のＸ１シリルアルキル基の生成数であり、かつ１〜１０であり、ａｉは、０〜３であり、Ｙは、ラジカル重合可能な基である。ラジカル重合可能な基は、典型的には、炭素原子２〜１０個のアルケニル基、次の一般式を有する基、
【０１５４】
【化７】
2018512491.tif 000009
【０１５５】
【化８】
2018512491.tif 000010
【０１５６】
次式の基：
【０１５７】
【化９】
2018512491.tif 000011
【０１５８】
から選択される［式中、Ｒ５及びＲ６のそれぞれは、独立して、水素又はＭｅであり、Ｒ７は炭素原子１〜１０個のアルキル基であり、「ｃ」は０〜４である］。
【０１５９】
コポリマーは、例えば、１つ以上の非限定的な実施形態における参照により本明細書に明示的に援用される米国特許第６，４２０，５０４号に記載され、調製されたものなどの分枝状シロキサン−シルアルキレン（ｓｉｌａｌｋｙｌｅｎｅ）コポリマーであってよい。好適な分枝状シロキサン−シルアルキレン（ｓｉｌａｌｋｙｌｅｎｅ）コポリマーの例としては、一般式：
【０１６０】
【化１０】
2018512491.tif 000012
【０１６１】
［式中、Ｒ１は上記のとおりに定義され、Ｘ１は、下記一般式（「ｉ」＝１であるとき）により表されるシリルアルキル基である］、
【０１６２】
【化１１】
2018512491.tif 000013
【０１６３】
［式中、Ｒ１は、上記のとおりに定義され、Ｒ２は、炭素が２〜１０個のアルキレン基であり、Ｒ３は、炭素が１〜１０個のアルキル基であり、Ｘｉ＋１は、水素、炭素が１〜１０個のアルキル基、アリール基、及び上記のＸ１シリルアルキル基から選択され、「ｉ」は、上記のＸ１シリルアルキル基の生成数であり、かつ１〜１０であり、ａｉは、０〜３である］により表されるものが挙げられる。Ｙは、ラジカル重合可能な基である。ラジカル重合可能な基は、典型的には、炭素原子２〜１０個のアルケニル基、次の一般式により表される（メタ）−アクリル基含有有機基：
【０１６４】
【化１２】
2018512491.tif 000014
【０１６５】
【化１３】
2018512491.tif 000015
【０１６６】
次の一般式により表されるスチリル基含有有機基：
【０１６７】
【化１４】
2018512491.tif 000016
【０１６８】
から選択される［式中、Ｒ４及びＲ６のそれぞれは、独立して、水素又はＭｅであり、Ｒ５及びＲ８のそれぞれは、独立して、炭素原子１〜１０個のアルキレン基であり、Ｒ７は、炭素が１〜１０個のアルキル基であり、「ｂ」は０〜４であり、「ｃ」は０又は１である］。
【０１６９】
使用する場合、コポリマーは、様々な量で組成物に含めることができる。ある種の実施形態において、コポリマーは、組成物１００重量部に対し、約０〜９９、１０〜９０、３０〜９０、又は４０〜８０の量で存在する。２つ以上の異なるコポリマーを使用してもよい。
【０１７０】
組成物の形成方法：
本開示はまた、組成物の形成方法を開示する。方法は、ヒドロシリル化触媒及びキャリアフルイドの存在下で、ヒドロシリル化反応を介し、環状シロキサンとポリオルガノシロキサンとを反応させて、分枝状オルガノポリシロキサン、例えば、アルケニル官能基又はＳｉ−Ｈ官能基を含むヒドロシリル化反応生成物を形成することを含む。方法は、反応前に、環状シロキサンと、ポリオルガノシロキサンと、ヒドロシリル化触媒と、キャリアフルイドと、を組み合わせるステップを含み得る。典型的には、組成物は正味（ｎｅａｔ）１００％は形成されない。代わりに、組成物は、典型的には、キャリアフルイドの存在下で、直接、最終的な固形分含量で形成され、及び／又はより多量な固形分含量で形成された後に、追加のキャリアフルイドにより最終用途に所望される低レベルの最終固形分に希釈される。換言すると、方法は、追加のキャリアフルイドを組成物及び／又はヒドロシリル化反応生成物に加えるステップを含み得る。
【０１７１】
パーソナルケア組成物：
本開示は、本明細書において「パーソナルケア製品」としても呼称され得るパーソナルケア組成物も提供する。パーソナルケア組成物は、上記のフルイド組成物を含む。パーソナルケア組成物は、クリーム、ゲル、粉末、ペースト又は注ぎやすい液体の形態であってもよい。一般に、かかるパーソナルケア組成物は、一般に、室温で固体の材料がパーソナルケア組成物中に存在しない場合、単純なプロペラミキサ、Ｂｒｏｏｋｆｉｅｌｄ逆回転ミキサ、又は均質化ミキサを使用して、室温で調製され得る。典型的に、特別な装置又は加工条件を必要としない。製造する形態の種類に応じて調製方法は異なるが、このような方法は当技術分野において公知である。
【０１７２】
パーソナルケア組成物は、様々なパーソナル、家庭及びヘルスケア用途において、又は、それらに対して使用することができる。特に、本開示のフルイド組成物及び／又はパーソナルケア組成物は、米国特許第６，０５１，２１６号、米国特許第５，９１９，４４１号、米国特許第５，９８１，６８０号、国際公開第２００４／０６０２７１号及び国際公開第２００４／０６０１０１号に記載のパーソナルケア製品、国際公開第２００４／０６０２７６号に記載の日焼け止め剤組成物、国際公開第０３／１０５８０１号に記載のフィルム形成樹脂も含む化粧品組成物、米国特許出願第公開第２００３／０２３５５５３号、同第２００３／００７２７３０号及び同第２００３／０１７０１８８号、欧州特許第１，２６６，６４７号、同第１，２６６，６４８号及び同第１，２６６，６５３号、国際公開第０３／１０５７８９号、同第２００４／０００２４７号及び同第０３／１０６６１４号に記載の化粧料組成物、国際公開第２００４／０５４５２３号に記載のものに対する添加剤、米国特許出願第２００４／０１８００３２号、並びに／あるいは国際公開第２００４／０５４５２４号に記載の透明若しくは半透明のケア及び／又はメークアップ組成物、に使用することができ、これらの全ては、多様な非限定的な実施形態を参照することにより本発明に明示的に援用される。
【０１７３】
パーソナルケア製品は、塗布される身体部分に対して機能的なものであってよく、美容的なもの、治療的なもの、又はこれらをある程度組み合わせたものであってもよい。このようなパーソナルケア製品の従来例としては、制汗剤及びデオドラント、スキンケアクリーム、スキンケアローション、保湿剤、及び美顔用トリートメント（例えば、ニキビ又はしわ低減剤など）、パーソナルクレンザー及びフェイシャルクレンザー、バスオイル、香料及びコロン、サシェ、日焼け止め剤、プレシェーブローション及びアフターシェーブローション、シェービングソープ、及びシェービング用の泡、ヘアシャンプー、ヘアコンディショナー、染毛剤、毛髪弛緩剤（ｈａｉｒ  ｒｅｌａｘａｎｔｓ）、ヘアスプレー、ムース、ゲル、パーマネント、脱毛剤、及びキューティクルコート、メークアップ、カラー化粧品、ファンデーション、コンシーラー、頬紅、リップスティック、アイライナー、マスカラ、オイルリムーバー、カラー化粧料リムーバー、及びパウダー類、並びに予防的なもの及び／又は治療的なものであり得る薬用クリーム、ペースト、又はスプレー、例えば、抗ニキビ、歯科衛生、抗菌、治癒促進、及び栄養などのための薬用クリーム、ペースト、又はスプレーが挙げられる。一般に、パーソナルケア製品は、液体、リンス、ローション、クリーム、ペースト、ゲル、発泡体、ムース、軟膏、スプレー、エアロゾル、石鹸、スティック、軟固形、固体ゲル、及びゲルを含むがこれらに限定されない、いずれかの従来の形態での適用を可能にするキャリアと共に製剤化してもよい。何が適切なキャリアを構成するかは、当業者には容易に明らかとなろう。
【０１７４】
パーソナルケア用のパーソナルケア組成物は、あるいは化粧品組成物と呼ぶこともでき、専ら又は主として清潔にする、香りで満たす、外観を変化させる、保護する、良好な状態に保つ、又は悪臭を改善する目的で、人体の外側部分（「ケラチン基質」とも呼ばれる、皮膚、毛髪、爪、粘膜など）、又は歯及び口腔粘膜と接触させて配置することが意図される組成物が挙げられる。場合によっては、パーソナルケア組成物は、ヘルスケア組成物を含み得る。化粧品用途、及びいくつかの例では、ヘルスケア用途としては、スキンケア用途、日焼けケア用途、ヘアケア用途、又はネイルケア用途が挙げられる。
【０１７５】
パーソナルケア原料は、パーソナルケア又は化粧品用途に使用される構成成分である。かかる構成成分の広範な概要は、ＣＴＦＡ化粧品原材料ハンドブックに見出すことができる。パーソナルケア用原料の例を以下に更に記載する。これらのパーソナルケア原料は、あるいはそれらの一般的な使用法に応じ化粧品構成成分、ヘルスケア構成成分などとも呼ばれ得る。パーソナルケア原料が化粧品構成成分であるとき、パーソナルケア組成物は、化粧品組成物と呼ばれ、パーソナルケア原料がヘルスケア構成成分であるとき、パーソナルケア組成物は、ヘルスケア組成物と呼ばれるなどする。
【０１７６】
化粧品構成成分としては、皮膚軟化剤、ワックス、保湿剤、表面活性物質（例えば、界面活性剤又は洗剤又は乳化剤）、増粘剤、水相安定剤、ｐＨ調整剤、防腐剤及び化粧品用殺生物剤、皮脂吸収剤又は皮脂調整剤、野菜又は植物の抽出物、ビタミン、タンパク質又はアミノ酸及びこれらの誘導体、顔料、着色剤、充填剤、シリコーンコンディショニング剤、カチオン性コンディショニング剤、疎水性コンディショニング剤、ＵＶ吸収剤、日焼け止め剤、ふけ防止剤、制汗剤、デオドラント剤、皮膚保護剤、毛髪染料、ネイルケア構成成分、芳香剤又は香料、酸化防止剤、酸化剤、還元剤、噴射ガス、並びにこれらの混合物が挙げられる。化粧品組成物において用いることができる追加構成成分としては、脂肪族アルコール、カラーケア添加剤、脂肪沈着防止剤、真珠光沢付与剤、キレート剤、皮膜形成剤、スタイリング剤、セラミド、懸濁剤、及びその他が挙げられる。
【０１７７】
ヘルスケア構成成分としては、抗にきび剤、抗菌剤、抗真菌剤、治療活性剤、外用鎮痛剤、皮膚漂白剤、抗癌剤、利尿剤、胃及び十二指腸潰瘍を治療するための剤、タンパク質分解酵素、抗ヒスタミン剤又はＨ１ヒスタミン遮断剤、鎮静剤、気管支拡張剤、及び希釈剤などが挙げられる。ヘルスケア組成物に使用することができる追加の構成成分としては、抗生物質、防腐剤、抗菌剤、抗炎症剤、収れん剤、ホルモン類、禁煙組成物、心・血管作動薬、抗不整脈薬、α−１遮断薬、β遮断薬、ＡＣＥ阻害剤、抗凝集抑制剤（ａｎｔｉａｇｇｒｅｇａｎｔｓ）、非ステロイド系抗炎症剤（ＮＳＡＩＤ、ジクロフェナクなど）、抗乾癬剤（クロベタゾールプロピオン酸エステル）、抗皮膚炎剤、精神安定剤、抗痙攣剤、抗凝固剤、回復因子（ｈｅａｌｉｎｇ  ｆａｃｔｏｒｓ）、細胞増殖栄養剤、ペプチド、コルチコステロイド剤、及び鎮痒薬などが挙げられる。
【０１７８】
ワックス及びその他などの化粧品成分をヘルスケア組成物で用いてもよく、また、抗にきび剤及びその他などのヘルスケア成分を化粧品組成物に用いてもよい。
【０１７９】
皮膚軟化剤の例としては、揮発性又は不揮発性シリコーン油、ポリプロピルシルセスキオキサン及びフェニルトリメチコ−ンなどのシリコーン樹脂、ジメチコンクロスポリマーなどのシリコーンエラストマー、Ｃ３０−４５アルキルメチコンなどのアルキルメチルシロキサン、スクアレン、パラフィン油、ペトロラタム油、及びナフタレン油などの揮発性又は不揮発性の炭化水素化合物、水素添加された又は部分的に水素添加されたポリイソブテン、イソエイコサン、スクアラン、イソパラフィン、イソドデカン、イソデカン又はイソヘキサデカ、分枝Ｃ８−Ｃ１６エステル、イソヘキシルネオペンタノエート、イソノニルイソノナノエート、セトステアリルオクタノエート、イソプロピルミリステート、パルミチン酸誘導体、ステアラート誘導体、イソステアリルイソステアレートなどのエステル油、及び、ヘプタン酸、オクタノエート、デカン酸、又はアルコール又はポリアルコールのリシノール酸、又はこれらの混合物、コムギ胚芽、ヒマワリ、ブドウ種子、キャスター、シア、アボカド、オリーブ、ダイズ、スイートアーモンド、ヤシ、ナタネ、綿実、ヘーゼルナッツ、マカダミア、ホホバ、カシス、オオマツヨイグサなどの植物起源の炭化水素油、カプリル酸／カプリン酸のトリグリセリド、オレイン酸、リノール酸、又はリノレン酸などの高級脂肪酸、及びこれらの混合物が挙げられる。
【０１８０】
ろうの例としては、炭化水素ろう、例えば蜜ろう、ラノリンろう、米ろう、カルナウバろう、キャンデリラろう、ミクロクリスタリンろう、パラフィン、地ろう、ポリエチレンろう、合成ろう、セレシン、ラノリン、ラノリン誘導体、ココアバター、セラックろう、ぬかろう、カポックろう、サトウキビろう、モンタンろう、鯨ろう、ベーベリろう、シリコーンろう（例：ポリメチルシロキサンアルキル、アルコキシ及び／又はエステル、Ｃ３０−Ｃ４５アルキルジメチルシリルポリプロピルシルセスキオキサン）、並びにそれらの混合物が挙げられる。
【０１８１】
保湿剤の例としては、プロピレングリコール及びブチレングリコールなどの低分子量脂肪族ジオール、ポリオール、例えば、グリセリン及びソルビトールなど、並びにポリオキシエチレンポリマー、例えば、ポリエチレングリコール２００、ヒアルロン酸及びその誘導体、並びにこれらの混合物が挙げられる。
【０１８２】
表面活性物質の例には、アニオン性、カチオン性、又はノニオン性のものがあり、ジメチコンコポリオールなどのオルガノ変性シリコーン、グリセロールのオキシエチレン化及び／又はオキシプロピレン化エーテル、セテアレス−３０、Ｃ１２−Ｃ１５パレス−７などの脂肪族アルコールのオキシエチレン化及び／又はオキシプロピレン化エーテル、ＰＥＧ−５０ステアレート、ＰＥＧ−４０モノステアレートなどのポリエチレングリコールの脂肪酸エステル、スクロースステアラート、スクロースココエート、及びソルビタンステアラートなどの糖類エステル及びエーテル、並びにこれらの混合物、ＤＥＡオレス−１０ホスフェートなどのリン酸エステル及びその塩類、二ナトリウムＰＥＧ−５シトレートラウリルスルホスクシネート及び二ナトリウムリシノールアミドＭＥＡスルホスクシネートなどのスルホスクシネート、ラウリルエーテル硫酸ナトリウムなどのアルキルエーテルサルフェート、イセチオネート、ベタイン誘導体、及びこれらの混合物が挙げられる。
【０１８３】
非イオン性界面活性剤の更なる例としては、ポリオキシエチレンアルキルエーテル、ポリオキシエチレンアルキルフェノールエーテル、ポリオキシエチレンラウリルエーテル、ポリオキシエチレンソルビタンモノオレエート、ポリオキシエチレンアルキルエステル、ポリオキシエチレンソルビタンアルキルエステル、ポリエチレングリコール、ポリプロピレングリコール、ジエチレングリコール、エトキシ化トリメチルノナノール、ポリオキシアルキレン置換シリコーン（レーキ（ｒａｋｅ）又はＡＢｎタイプ）、シリコーンアルカノールアミド、シリコーンエステル、シリコーングリコシド、及びこれらの混合物が挙げられる。
【０１８４】
非イオン性界面活性剤としては、ジメチコンコポリオール、ポリオールの脂肪酸エステル、例えば、ソルビトール又はグリセリルモノ−、ジ−、トリ−、又はセスキ−オレエート又はステアラート、グリセリル又はポリエチレングリコールラウレート、ポリエチレングリコールの脂肪酸エステル（ポリエチレングリコールモノステアレート又はモノラウレート）、ソルビトールのポリオキシエチレン化脂肪酸エステル（ステアラート又はオレエート）、ポリオキシエチレン化アルキル（ラウリル、セチル、ステアリール、又はオクチル）エーテルが挙げられる。
【０１８５】
アニオン性界面活性剤としては、カルボン酸塩（２−（２−ヒドロキシアルキルオキシ）酢酸ナトリウム）、アミノ酸誘導体（Ｎ−アシルグルタミン酸塩、Ｎ−アシルグリシン酸塩、又はアシルサルコシン酸塩）、アルキル硫酸塩、アルキルエーテル硫酸塩、及びこれらのオキシエチレン化誘導体、スルホン酸塩、イセチオン酸塩及びＮ−アシルイセチオン酸塩、タウリン酸塩及びＮ−アシルＮ−メチルタウリン酸塩、スルホコハク酸塩、アルキルスルホ酢酸塩、リン酸塩及びアルキルリン酸塩、ポリペプチド、アルキルポリグリコシドのアニオン性誘導体（アシル−Ｄ−ガラクトシドウロン酸塩）、及び脂肪酸石鹸、並びにこれらの混合物が挙げられる。
【０１８６】
両性及び双性イオン性界面活性剤としては、ベタイン、Ｎ−アルキルアミドベタイン及びこれらの誘導体、タンパク質及びその誘導体、グリシン誘導体、スルタイン、アルキルポリアミノカルボキシレート及びアルキルアンホアセテート、並びにこれらの混合物が挙げられる。
【０１８７】
増粘剤の例としては、アクリルアミドコポリマー、アクリレートコポリマー及びその塩（例えば、ポリアクリル酸ナトリウム）、キサンタンガム及び誘導体、セルロースガム及びセルロース誘導体（例えば、メチルセルロース、メチルヒドロキシプロピルセルロース、ヒドロキシプロピルセルロース、ポリプロピルヒドロキシエチルセルロース）、デンプン及びデンプン誘導体（例えば、ヒドロキシエチルアミロース及びデンプンアミラーゼ）、ポリオキシエチレン、カルボマー、アルギン酸ナトリウム、アラビアガム、カシアガム、グアーガム及びグアーガム誘導体、コカミド誘導体、アルキルアルコール、ゼラチン、ＰＥＧ−誘導体、糖類（例えば、フラクトース、グルコース）及び糖類誘導体（例えば、ＰＥＧ−１２０メチルグルコースジオレート）、並びにこれらの混合物が挙げられる。
【０１８８】
水相安定剤の例としては、電解質（例えば、アルカリ金属塩及びアルカリ土類塩、特に、塩化物、ホウ酸、クエン酸、及び硫酸のナトリウム、カリウム、カルシウム、及びマグネシウム塩、並びにアルミニウムクロロハイドレート、及び高分子電解質、特に、ヒアルロン酸及びヒアルロン酸ナトリウム）、ポリオール（グリセリン、プロピレングリコール、ブチレングリコール、及びソルビトール）、アルコール（エチルアルコールなど）、ヒドロコロイド、及びこれらの混合物が挙げられる。
【０１８９】
ｐＨ調整剤の例としては、任意の水溶性酸（例えば、カルボン酸）、又は鉱酸（例えば、塩酸、硫酸及びリン酸）、モノカルボン酸（例えば、酢酸及び乳酸）、及びポリカルボン酸（例えば、コハク酸、アジピン酸、及びクエン酸）、並びにこれらの混合物が挙げられる。
【０１９０】
防腐剤及び化粧品用殺生物剤の例として、パラベン誘導体、ヒダントイン誘導体、クロルヘキシジン及びその誘導体、イミダゾリジニル尿素、フェノキシエタノール、銀誘導体、サリチラート誘導体、トリクロサン、シクロピロクスオルアミン、ヘキサミジン、オキシキノリン及びその誘導体、ＰＶＰ−ヨード、亜鉛塩及び誘導体、例えば亜鉛ピリチオンなど、並びにそれらの混合物が挙げられる。
【０１９１】
皮脂吸収剤又は皮脂調整剤の例としては、シリカシリレート、シリカジメチルシリレート、ジメチコン／ビニルジメチコンクロスポリマー、ポリメチルメタクリレート、架橋メチルメタクリレート、アルミニウムデンプンオクテニルスクシネート、及びこれらの混合物が挙げられる。
【０１９２】
野菜又は植物の抽出物の例は、油又は水溶性形態の植物（草本、根、花、果実、又は種子）、例えば、ココナッツ、緑茶、白茶、紅茶、ツクシ、イチョウ（ｇｉｎｋｇｏ  ｂｉｌｏｂａ）、ヒマワリ、小麦胚芽、海藻、オリーブ、ブドウ、ザクロ、アロエ、杏仁、アンズ、ニンジン、トマト、タバコ、豆、ジャガイモ、小豆、カテキュー、オレンジ、キュウリ、アボカド、スイカ、バナナ、レモン、ヤシ、又はこれらの混合物に由来する。草本抽出物の例としては、ディル、セイヨウワサビ、オートムギ、インドセンダン、ビート、ブロッコリー、茶、カボチャ、大豆、大麦、クルミ、亜麻、朝鮮人参、ケシ、アボカド、エンドウ豆、ゴマ、及びこれらの混合物が挙げられる。
【０１９３】
ビタミンの例としては、様々な異なる有機化合物、例えば、アルコール、酸、ステロール、及びキノンなどが挙げられる。これらは、２つの溶解度群：脂溶性ビタミン及び水溶性ビタミンに分類することができる。パーソナルケア組成物において有用性である脂溶性ビタミンには、レチノール（ビタミンＡ）、エルゴカルシフェロール（ビタミンＤ２）、コレカルシフェロール（ビタミンＤ３）、フィトナジオン（ビタミンＫ１）及びトコフェロール（ビタミンＥ）がある。パーソナルケア組成物において有用性である水溶性ビタミンには、アスコルビン酸（ビタミンＣ）、チアミン（ビタミンＢ１）、ナイアシン（ニコチン酸）、ナイアシンアミド（ビタミンＢ３）、リボフラビン（ビタミンＢ２）、パントテン酸（ビタミンＢ５）、ビオチン、葉酸、ピリドキシン（ビタミンＢ６）及びシアノコバラミン（ビタミンＢ１２）がある。ビタミンの追加例としては、ビタミンの誘導体、例えば、パルミチン酸レチニル（ビタミンＡパルミテート）、酢酸レチニル（ビタミンＡアセテート）、リノール酸レチニル（ビタミンＡリノレート）、プロピオン酸レチニル（ビタミンＡプロピオネート）、酢酸トコフェリル（ビタミンＥアセテート）、リノール酸トコフェリル（ビタミンＥリノレート）、コハク酸トコフェリル（ビタミンＥスクシナート）、トコフェレス−５、トコフェレス−１０、トコフェレス−１２、トコフェレス−１８、トコフェレス−５０（エトキシ化ビタミンＥ誘導体）、ＰＰＧ−２トコフェレス−５、ＰＰＧ−５トコフェレス−２、ＰＰＧ−１０トコフェレス−３０、ＰＰＧ−２０トコフェレス−５０、ＰＰＧ−３０トコフェレス−７０、ＰＰＧ−７０トコフェレス−１００（プロポキシル化及びエトキシル化ビタミンＥ誘導体）、トコフェリルリン酸ナトリウム、パルミチン酸アスコルビル、ジパルミチン酸アスコルビル、アスコルビルグルコシド、テトライソパルミチン酸アスコルビル、アスコルビン酸テトラヘキサデシル、マレイン酸アスコルビルトコフェリル、アスコルビルトコフェリルリン酸カリウム、ニコチン酸トコフェリル、及びこれらの混合物が挙げられる。
【０１９４】
タンパク質又はアミノ酸及びこれらの誘導体の例としては、小麦、大豆、米、トウモロコシ、ケラチン、エラスチン、又はシルクから抽出されたものが挙げられる。タンパク質は、加水分解エラスチン、加水分解コムギ粉末、加水分解シルクなどの加水分解された形態であってもよく、また、四級化されていてもよい。タンパク質の例としては、酵素、例えば、ヒドロラーゼ、クチナーゼ、オキシダーゼ、トランスフェラーゼ、レダクターゼ、ヘミセルラーゼ、エステラーゼ、イソメラーゼ、ペクチナーゼ、ラクターゼ、ペルオキシダーゼ、ラッカーゼ、カタラーゼなど、及びこれらの混合物が挙げられる。ヒドロラーゼの例としては、プロテアーゼ（細菌性、真菌性、酸性、中性又はアルカリ性）、アミラーゼ（アルファ又はベータ）、リパーゼ、マンナナーゼ、セルラーゼ、コラゲナーゼ、リゾチーム（ｌｉｓｏｚｙｍｅｓ）、スーパーオキシドジスムターゼ、カタラーゼ、及びこれらの混合物が挙げられる。
【０１９５】
顔料及び着色剤の例としては、表面処理又は未処理酸化鉄、表面処理又は未処理二酸化チタン、表面処理又は未処理雲母、酸化銀、ケイ酸塩、酸化クロム、カロチノイド、カーボンブラック、ウルトラマリン、クロロフィリン誘導体、及び黄土が挙げられる。有機顔料の例としては、Ｄ＆Ｃ及びＦＤ＆Ｃ青、茶、緑、オレンジ、赤、黄色などとして指定される、アゾ、インジゴイド、トリフェニルメタン、アントラキノン、及びキサンチン染料を含む芳香族型、並びにこれらの混合物が挙げられる。表面処理剤としては、レシチン、シリコーン、シラン、フッ素化合物、及びこれらの混合物に基づく処理剤が挙げられる。
【０１９６】
充填剤の例としては、タルク、雲母、カオリン、酸化亜鉛又はチタン、炭酸カルシウム又はマグネシウム、シリカ、シリカシリレート、二酸化チタン、ガラス又はセラミックビーズ、ポリメチルメタクリレートビーズ、窒化ホウ素、ケイ酸アルミニウム、オクテニルコハク酸デンプンアルミニウム、ベントナイト、ケイ酸マグネシウムアルミニウム、ナイロン、シルクパウダー、８〜２２個の炭素原子を有するカルボン酸から誘導される金属石鹸、非発泡合成ポリマーパウダー、架橋されていても架橋されていなくてもよい天然有機化合物（例えば、穀物デンプン）由来の発泡パウダー及びパウダー、コポリマーミクロスフェア、ポリトラップ（ｐｏｌｙｔｒａｐ）、シリコーン樹脂マイクロビーズ、並びにこれらの混合物が挙げられる。充填剤は、親和性又は相溶性を調節するために残りの構成成分で表面処理されてもよい。
【０１９７】
シリコーンコンディショニング剤の例としては、ジメチコンなどのシリコーン油、ジメチコノールなどのシリコーンガム、トリメチルシロキシシリケート及びポリプロピルシルセスキオキサンなどのシリコーン樹脂、シリコーンエラストマー、アルキルメチルシロキサン、アモジメチコン、アミノプロピルフェニルトリメチコン、フェニルトリメチコン、トリメチルペンタフェニルトリシロキサン、シリコーンクオタニウム−１６／グリシドキシジメチコンクロスポリマー、及びシリコーンクオタニウム−１６などの有機変性シリコーンオイル、糖類官能性シロキサン、カルビノール官能性シロキサン、シリコーンポリエーテル、シロキサンコポリマー（ジビニルジメチコン／ジメチコンコポリマー）、アクリレート又はアクリル官能性シロキサン、及びこれらの混合物又はエマルジョンが挙げられる。
【０１９８】
カチオン性コンディショニング剤の例としては、グアーガムのヒドロキシプロピルトリメチルアンモニウム誘導体などのグアー誘導体、カチオン性セルロース誘導体、カチオン性スターチ誘導体、セルロースエーテルの四級窒素誘導体、塩化ジメチルジアリルアンモニウムのホモポリマー、アクリルアミド及び塩化ジメチルジアリルアンモニウムのコポリマー、エステル又はアミド結合によってポリマーに結合するカチオン性窒素官能基を含有するアクリル酸又はメタクリル酸に由来するホモポリマー又はコポリマー、脂肪族アルキルジメチルアンモニウム置換エポキシドと反応したヒドロキシエチルセルロースのポリマー四級アンモニウム塩、Ｎ，Ｎ’−ビス−（２，３−エポキシプロピル）−ピペラジン又はピペラジン−ビス−アクリルアミド及びピペラジンの重縮合生成物、並びにビニルピロリドンと第四級窒素官能性を有するアクリル酸エステルとのコポリマーが挙げられる。具体的な物質としては、様々なポリクアット（ｐｏｌｙｑｕａｔｓ）、ポリクオタニウム−７、ポリクオタニウム−８、ポリクオタニウム−１０、ポリクオタニウム−１１、及びポリクオタニウム−２３が挙げられる。他の分類のコンディショナーとしては、カチオン界面活性剤（例えば、塩化セチルトリメチルアンモニウム、臭化セチルトリメチルアンモニウム、及び塩化ステリアルトリメチルアンモニウム）、及びその混合物が挙げられる。場合によっては、カチオン性コンディショニング剤も、疎水変性四級化ヒドロキシエチルセルロースポリマー、カチオン性疎水性変性ガラクトマンナンエーテル、及びこれらの混合物である。
【０１９９】
疎水性コンディショニング剤の例としては、グアー誘導体、ガラクトマンナンガム誘導体、セルロース誘導体、及びこれらの混合物が挙げられる。
【０２００】
ＵＶ吸収剤及び日焼け止め剤としては、約２９０〜３２０ナノメートルの紫外線（ＵＶ−Ｂ領域）を吸収するもの、及び３２０〜４００ナノメートルの紫外線（ＵＶ−Ａ領域）を吸収するものが挙げられる。
【０２０１】
日焼け防止剤のいくつかの例は、アミノ安息香酸、シノキサート、ジエタノールアミンメトキシシンナマート、ジガロイルトリオレアート、ジオキシベンゾン、エチル−４−［ビス（ヒドロキシプロピル）］アミノベンゾアート、グリセリルアミノベンゾアート、ホモサラート、ジヒドロキシアセトンを有するローソン、メンチルアントラニラート、オクトクリレン、エチルヘキシルメトキシシンナマート、オクチルサリチラート、オキシベンゾン、パラジマートＯ、フェニルベンズイミダゾールスルホン酸、赤色ワセリン、スリソベンゾン、二酸化チタン、トロラミンサリチラート、及びそれらの混合物である。
【０２０２】
ＵＶ吸収剤のいくつかの例は、アセトアミノサロール、アラントインＰＡＢＡ、ベンザルフタリド、ベンゾフェノン、ベンゾフェノン１−１２，３−ベンジリデンカンファー、ベンジリデンカンファー加水分解コラーゲンスルホンアミド、ベンジリデンカンファースルホン酸、ベンジルサリチレート、ボルネロン（ｂｏｒｎｅｌｏｎｅ）、ブメトリオゾール（ｂｕｍｅｔｒｉｏｚｏｌｅ）、ブチルメトキシジベンゾイルメタン、ブチルＰＡＢＡ、セリア／シリカ、セリア／シリカタルク、シノキセート、ＤＥＡ−メトキシシンナメート、ジベンゾオキサゾールナフタレン、ジ−ｔ−ブチルヒドロキシベンジリデンカンファー、ジガロイルトリオレエート、ジイソプロピルメチルシンナメート、ジメチルＰＡＢＡエチルセテアリールジモニウムトシレート、ジオクチルブタミドトリアゾン、ジフェニルカルボメトキシアセトキシナフトピラン、ビスエチルフェニルトリアミノトリアジンスチルベンジスルホン酸二ナトリウム、ジスチリルビフェニルトリアミノトリアジンスチルベンジスルホン酸二ナトリウム、ジスチリルビフェニルジスルホン酸二ナトリウム、ドロメトリゾール、ドロメトリゾールトリシロキサン、エチルジヒドロキシプロピルＰＡＢＡ、エチルジイソプロピルシンナメート、エチルメトキシシンナメート、エチルＰＡＢＡ、ウロカニン酸エチル、エトロクリレンフェルラ酸、グリセリルオクタノエートジメトキシシンナメート、グリセリルＰＡＢＡ、グリコールサリチレート、ホモサラート、イソアミルｐ−メトキシシンナメート、イソプロピルベンジルサリチレート、イソプロピルジベンゾリルメタン、イソプロピルメトキシシンナメート、メンチルアントラニレート、メンチルサリチレート、４−メチルベンジリデン、カンファー、オクトクリレン、オクトリゾール、オクチルジメチルＰＡＢＡ、エチルヘキシルメトキシシンナメート、オクチルサリチレート、オクチルトリアゾン、ＰＡＢＡ、ＰＥＧ−２５ＰＡＢＡ、ペンチルジメチルＰＡＢＡ、フェニルベンズイミダゾールスルホン酸、ポリアクリルアミドメチルベンジリデンカンファー、メトキシケイ皮酸カリウム、フェニルベンズイミダゾールスルホン酸カリウム、赤色ワセリン、フェニルベンズイミダゾールスルホン酸ナトリウム、ウロカニン酸ナトリウム、ＴＥＡ−フェニルベンズイミダゾールスルホネート、ＴＥＡ−サリチレート、テレフタリリデンジカンファースルホン酸、二酸化チタン、トリＰＡＢＡパンテノール、ウロカニン酸、ＶＡ／クロトネート／メタクリルオキシベンゾフェノン−１コポリマー、及びこれらの混合物である。
【０２０３】
ふけ防止剤の例としては、ピリジンチオン塩、セレン化合物（例えば、二硫化セレン）、及び可溶性ふけ防止剤、並びにこれらの混合物が挙げられる。
【０２０４】
制汗剤及びデオドラントの例としては、塩化アルミニウム、アルミニウムジルコニウムテトラクロロハイドレックスＧＬＹ、アルミニウムジルコニウムテトラクロロハイドレックスＰＥＧ、アルミニウムクロロハイドレックス、アルミニウムジルコニウムテトラクロロハイドレックスＰＧ、アルミニウムクロロハイドレックスＰＥＧ、アルミニウムジルコニウムトリクロロハイドレート、アルミニウムクロロハイドレックスＰＧ、アルミニウムジルコニウムトリクロロハイドレックスＧＬＹ、ヘキサクロロフェン、塩化ベンザルコニウム、アルミニウムセスキクロロハイドレート、炭酸水素ナトリウム、アルミニウムセスキクロロハイドレックスＰＥＧ、クロロフィリン−銅錯体、トリクロサン、アルミニウムジルコニウムオクタクロロハイドレート、リシノール酸亜鉛、及びこれらの混合物が挙げられる。
【０２０５】
皮膚保護剤の例としては、アラントイン、酢酸アルミニウム、水酸化アルミニウム、硫酸アルミニウム、カラミン、カカオバター、タラ肝油、コロイド状オートミール、ジメチコン、グリセリン、カオリン、ラノリン、鉱物油、ワセリン、サメ肝油、炭酸水素ナトリウム、タルク、ウィッチヘーゼル、酢酸亜鉛、炭酸亜鉛、酸化亜鉛、及びこれらの混合物が挙げられる。
【０２０６】
毛髪染料の例としては、１−アセトキシ−２−メチルナフタレン、酸性染料、５−アミノ−４−クロロ−ｏ−クレゾール、５−アミノ−２，６−ジメトキシ−３−ヒドロキシピリジン、３−アミノ−２，６−ジメチルフェノール、２−アミノ−５−エチルフェノールＨＣｌ、５−アミノ−４−フルオロ−２−メチルフェノールサルフェート、２−アミノ−４−ヒドロキシエチルアミノアニソール、２−アミノ−４−ヒドロキシエチルアミノアニソールサルフェート、２−アミノ−５−ニトロフェノール、４−アミノ−２−ニトロフェノール、４−アミノ−３−ニトロフェノール、２−アミノ−４−ニトロフェノールサルフェート、ｍ−アミノフェノールＨＣｌ、ｐ−アミノフェノールＨＣｌ、ｍ−アミノフェノール、ｏ−アミノフェノール、４，６−ビス（２−ヒドロキシエトキシ）−ｍ−フェニレンジアミンＨＣｌ、２，６−ビス（２−ヒドロキシエトキシ）−３，５−ピリジンジアミンＨＣｌ、２−クロロ−６−エチルアミノ−４−ニトロフェノール、２−クロロ−５−ニトロ−Ｎ−ヒドロキシエチルｐ−フェニレンジアミン、２−クロロ−ｐ−フェニレンジアミン、３，４−ジアミノ安息香酸、４，５−ジアミノ−１−（（４−クロロフェニル）メチル）−１Ｈ−ピラゾール−サルフェート、２，３−ジアミノジヒドロピラゾロピラゾロンジメトスルホネート、２，６−ジアミノピリジン、２，６−ジアミノ−３−（（ピリジン−３−イル）アゾ）ピリジン、ジヒドロキシインドール、ジヒドロキシインドリン、Ｎ，Ｎ−ジメチル−ｐ−フェニレンジアミン、２，６−ジメチル−ｐ−フェニレンジアミン、Ｎ，Ｎ−ジメチル−ｐ−フェニレンジアミンサルフェート、直接染料、４−エトキシ−ｍ−フェニレンジアミンサルフェート、３−エチルアミノ−ｐ−クレゾールサルフェート、Ｎ−エチル−３−ニトロＰＡＢＡ、グルコンアミドプロピルアミノプロピルジメチコン、ヘマトキシロン・ブラジレット（Ｈａｅｍａｔｏｘｙｌｏｎ  ｂｒａｓｉｌｅｔｔｏ）木材抽出物、ＨＣ染料、ローソニア・イネルミス（Ｌａｗｓｏｎｉａ  ｉｎｅｒｍｉｓ）（ヘナ）抽出物、ヒドロキシエチル−３，４−メチレンジオキシアニリンＨＣｌ、ヒドロキシエチル−２−ニトロ−ｐ−トルイジン、ヒドロキシエチル−ｐ−フェニレンジアミンサルフェート、２−ヒドロキシエチルピクラミン酸、ヒドロキシピリジノン、ヒドロキシスクシンイミジルＣ２１−Ｃ２２イソアルキルアシデート（ａｃｉｄａｔｅ）、イサチン、アイサティス・ティンクトリア（Ｉｓａｔｉｓ  ｔｉｎｃｔｏｒｉａ）葉粉末、２−メトキシメチル−ｐ−フェニレンジアミンサルフェート、２−メトキシ−ｐ−フェニレンジアミンサルフェート、６−メトキシ−２，３−ピリジンジアミンＨＣｌ、４−メチルベンジル４，５−ジアミノピラゾールサルフェート、２，２’−メチレンビス４−アミノフェノール、２，２’−メチレンビス−４−アミノフェノールＨＣｌ、３，４−メチレンジオキシアニリン、２−メチルレゾルシノール、メチルロザニリニウムクロリド、１，５−ナフタレンジオール、１，７−ナフタレンジオール、３−ニトロ−ｐ−クレゾール、２−ニトロ−５−グリセリルメチルアニリン、４−ニトログアイアコール、３−ニトロ−ｐ−ヒドロキシエチルアミノフェノール、２−ニトロ−Ｎ−ヒドロキシエチル−ｐ−アニシジン、ニトロフェノール、４−ニトロフェニルアミノエチルウレア、４−ニトロ−ｏ−フェニレンジアミンジヒドロクロリド、２−ニトロ−ｐ−フェニレンジアミンジヒドロクロリド、４−ニトロ−ｏ−フェニレンジアミンＨＣｌ、４−ニトロ−ｍ−フェニレンジアミン、４−ニトロ−ｏ−フェニレンジアミン、２−ニトロ−ｐ−フェニレンジアミン、４−ニトロ−ｍ−フェニレンジアミンサルフェート、４−ニトロ−ｏ−フェニレンジアミンサルフェート、２−ニトロ−ｐ−フェニレンジアミンサルフェート、６−ニトロ−２，５−ピリジンジアミン、６−ニトロ−ｏ−トルイジン、ＰＥＧ−３  ２，２’−ジ−ｐ−フェニレンジアミン、ｐ−フェニレンジアミンＨＣｌ、ｐ−フェニレンジアミンサルフェート、フェニルメチルピラゾロン、Ｎ−フェニル−ｐ−フェニレンジアミンＨＣｌ、ピグメントブルー１５：１、ピグメントバイオレット２３、ピグメントイエロー１３、ピロカテコール、ピロガロール、レゾルシノール、ピクラミン酸ナトリウム、スルファニル酸ナトリウム、ソルベントイエロー８５、ソルベントイエロー１７２、テトラアミノピリミジンサルフェート、テトラブロモフェノールブルー、２，５，６−トリアミノ−４−ピリミジノールサルフェート、並びに１，２，４−トリヒドロキシベンゼンが挙げられる。
【０２０７】
ネイルケア構成成分の例としては、酢酸ブチル、酢酸エチル、ニトロセルロース、アセチルトリブチルシトレート、イソプロピルアルコール、アジピン酸／ネオペンチルグリコール／無水トリメリト酸（ｔｒｉｍｅｌｉｔｉｃ  ａｎｈｙｄｒｉｄｅ）コポリマー、ステアラルコニウムベントナイト、アクリレートコポリマー、パントテン酸カルシウム、セトラリア・イスランディカ（Ｃｅｔｒａｒｉａ  ｉｓｌａｎｄｉｃａ）抽出物、コンドラス・クリスプス（Ｃｈｏｎｄｒｕｓ  ｃｒｉｓｐｕｓ）、スチレン／アクリレートコポリマー、トリメチルペンタンジイルジベンゾエート−１、ポリビニルブチラール、Ｎ−ブチルアルコール、プロピレングリコール、ブチレングリコール、雲母、シリカ、酸化スズ、ホウケイ酸カルシウム、合成フッ素金雲母、ポリエチレンテレフタレート、ラウリン酸ソルビタン誘導体、タルク、ホホバ抽出物、ダイアモンド粉末、イソブチルフェノキシエポキシ樹脂、シルクパウダー、及びこれらの混合物が挙げられる。
【０２０８】
芳香剤又は香料の例としては、ヘキシルシンナミックアルデヒド、アニスアルデヒド、メチル−２−ｎ−ヘキシル−３−オキソ−シクロペンタンカルボキシレート、ドデカラクトンガンマ、メチルフェニルカルビニルアセテート、４−アセチル−６−ｔｅｒｔ−ブチル−１，１−ジメチルインダン、パチョリ、オリバナム樹脂状物質、ラブダナム、べチベル、コパイババルサム、バルサムモミ、４−（４−ヒドロキシ−４−メチルペンチル）−３−シクロヘキセン−１−カルボキシアルデヒド、メチルアントラニレート、ゲラニオール、酢酸ゲラニル、リナロール、シトロネロール、酢酸テルピニル、サリチル酸ベンジル、２−メチル−３−（ｐ−イソプロピルフェニル）−プロパナール、フェノキシエチルイソブチレート、セドリルアセタール、オーベピン、ムスク芳香剤、大環状ケトン、マクロラクトンムスク芳香剤、エチレンブラシレート、並びにこれらの混合物が挙げられる。更なる香料構成成分は、例えばＰｅｒｆｕｍｅ  ａｎｄ  Ｆｌａｖｏｕｒ  Ｃｈｅｍｉｃａｌｓ，１９６９，Ｓ．Ａｒｃｔａｎｄｅｒ，Ｍｏｎｔｃｌａｉｒ，Ｎｅｗ  Ｊｅｒｓｅｙなどの標準的な教本参考文献に詳細に記載されている。
【０２０９】
酸化防止剤の例は、アセチルシステイン、アルブチン、アスコルビン酸、アスコルビン酸ポリペプチド、ジパルミチン酸アスコルビル、ペクチニン酸アスコルビルメチルシラノール、パルミチン酸アスコルビル、ステアリン酸アスコルビル、ＢＨＡ、ｐ−ヒドロキシアニソール、ＢＨＴ、ｔ−ブチルヒドロキノン、コーヒー酸、チャノキ（Ｃａｍｅｌｌｉａ  ｓｉｎｅｎｓｉｓ）油、アスコルビン酸キトサン、グリコール酸キトサン、サリチル酸キトサン、クロロゲン酸、システイン、塩酸システイン、デシルメルカプトメチルイミダゾール、エリソルビン酸、ジアミルヒドロキノン、ジ−ｔ−ブチルヒドロキノン、チオジプロピオン酸ジセチル、ジシクロペンタジエン／ｔ−ブチルクレゾールコポリマー、トリオレイン酸ジガロイル、チオジプロピオン酸ジラウリル、チオジプロピオン酸ジミリスチル、ジオレイルトコフェリルメチルシラノール、イソクエルシトリン、ジオスミン、アスコルビル硫酸二ナトリウム、ルチニル二硫酸二ナトリウム、チオジプロピオン酸ジステアリル、チオジプロピオン酸ジトリデシル、没食子酸ドデシル、フェルラ酸エチル、フェルラ酸、ヒドロキノン、塩酸ヒドロキシアミン、硫酸ヒドロキシアミン、チオグリコール酸イソオクチル、コウジ酸、マデカシコシド（ｍａｄｅｃａｓｓｉｃｏｓｉｄｅ）、アスコルビン酸マグネシウム、アスコルビルリン酸マグネシウム、メラトニン、メトキシ−ＰＥＧ−７コハク酸ルチニル、メチレンジ−ｔ−ブチルクレゾール、アスコルビン酸メチルシラノール、ノルジヒドログアイアレチン酸、没食子酸オクチル、フェニルチオグリコール酸、フロログリシノール、アスコビルトコフェロールリン酸カリウム、チオジグリコールアミド、亜硫酸カリウム、没食子酸プロピル、ロスマリン酸、ルチン、アスコルビン酸ナトリウム、アスコルビル／コレステリルリン酸ナトリウム、重亜硫酸ナトリウム、エリソルビン酸ナトリウム、メタ重亜硫酸ナトリウム、亜硫酸ナトリウム、チオグリコール酸ナトリウム、ソルビチルフルフラール、ティーツリー（Ｍｅｌａｌｅｕｃａ  ａｆｔｅｍｉｆｏｌｉａ）油、酢酸トコフェロール、アスコルビン酸テトラヘキシルデシル、テトラヒドロジフェルロイルメタン、リノール酸／オレイン酸トコフェロール、チオジグリコール、コハク酸トコフェロール、チオジグリコール酸、チオグリコール酸、チオ乳酸、チオサリチル酸、チオタウリン、レチノール、トコフェレス−５、トコフェレス−１０、トコフェレス−１２、トコフェレス−１８、トコフェレス−５０、トコフェロール、トコフェルソラン、リノール酸トコフェロール、ニコチン酸トコフェロール、トコキノン、ｏ−トリルビグアニド、亜リン酸トリス（ノニルフェニル）、ユビキノン、及びジブチルジチオカルバミン酸亜鉛、及びこれらの混合物である。
【０２１０】
酸化剤の例は、過硫酸アンモニウム、過酸化カルシウム、過酸化水素、過酸化マグネシウム、過酸化メラミン、臭素酸カリウム、カロ酸カリウム、塩素酸カリウム、過硫酸カリウム、臭素酸ナトリウム、炭酸ナトリウム過酸化物、塩素酸ナトリウム、ヨウ素酸ナトリウム、過ホウ素酸ナトリウム、過硫酸ナトリウム、二酸化ストロンチウム、過酸化ストロンチウム、過酸化尿素、過酸化亜鉛、及びこれらの混合物である。
【０２１１】
還元剤の例には、重亜硫酸アンモニウム、亜硫酸アンモニウム、チオグリコール酸アンモニウム、チオ乳酸アンモニウム、システアミンＨＣｌ、システイン、システインＨＣｌ、チオグリコール酸エタノールアミン、グルタチオン、チオグリコール酸グリセリル、チオプロピオン酸グリセリル、ヒドロキノン、ｐ−ヒドロキシアニソール、チオグリコール酸イソオクチル、チオグリコール酸マグネシウム、メルカプトプロピオン酸、メタ重亜硫酸カリウム、亜硫酸カリウム、チオグリコール酸カリウム、重亜硫酸ナトリウム、ヒドロ亜硫酸ナトリウム、ヒドロキシメタンスルホン酸ナトリウム、メタ重亜硫酸ナトリウム、亜硫酸ナトリウム、チオグリコール酸ナトリウム、チオグリコール酸ストロンチウム、スーパーオキシドジスムターゼ、チオグリセリン、チオグリコール酸、チオ乳酸、チオサリチル酸、亜鉛ホルムアルデヒドスルホキシレート、及びそれらの混合物がある。
【０２１２】
噴射ガスの例としては、二酸化炭素、窒素、亜酸化窒素、ブタン、イソブタン、又はプロパンなどの揮発性炭化水素、並びにジクロロジフルオロメタン及びジクロロテトラフルオロエタンなどの塩素化又はフッ素化炭化水素、又はジメチルエーテル；並びにこれらの混合物が挙げられる。
【０２１３】
抗にきび剤の例としては、サリチル酸、ベンゾイル硫黄、過酸化物、トレチノイン、及びこれらの混合物が挙げられる。
【０２１４】
抗菌剤の例としては、グルコン酸クロロヘキサジエン、アルコール、塩化ベンザルコニウム、塩化ベンゼトニウム、過酸化水素、塩化メチルベンゼトニウム、フェノール、ポロキサマー１８８、ポビドンヨード、及びこれらの混合物が挙げられる。
【０２１５】
抗真菌剤の例としては、硝酸ミコナゾール、ウンデシレン酸カルシウム、ウンデシレン酸、ウンデシレン酸亜鉛、及びこれらの混合物が挙げられる。
【０２１６】
治療活性剤の例としては、ペニシリン、セファロスポリン、テトラサイクリン、マクロライド、エピネフリン、アンフェタミン、アスピリン、アセトアミノフェン、バルビツレート、カテコールアミン、ベンゾジアゼピン、チオペンタール、コデイン、モルヒネ、プロカイン、リドカイン、ベンゾカイン、スルホンアミド、チコナゾール（ｔｉｃｏｎａｚｏｌｅ）、ペルブテロール（ｐｅｒｂｕｔｅｒｏｌ）、フロサミド（ｆｕｒｏｓａｍｉｄｅ）、プラゾシン、ホルモン、プロスタグランジン、カルベニシリン、サルブタモール、ハロペリドール、スラミン、インドメチカン（ｉｎｄｏｍｅｔｈｉｃａｎｅ）、ジクロフェナク、グラフェニン、ジピリダモール、テオフィリン、ヒドロコルチゾン、ステロイド、スコポラミン、及びこれらの混合物が挙げられる。
【０２１７】
外用鎮痛剤の例は、ベンジルアルコール、カプシカムオレオレジン（キダチ唐辛子（Ｃａｐｓｉｃｕｍ  ｆｒｕｔｅｓｃｅｎｓ）含油樹脂）、サリチル酸メチル、カンファー、フェノール、カプサイシン、ジュニパータール（ケードネズ（Ｊｕｎｉｐｅｒｕｓ  ｏｘｙｃｅｄｒｕｓ）タール）、ナトリウムフェノラート（ナトリウムフェノキシド）、カプシカム（キダチ唐辛子）、メントール、レゾルシノール、ニコチン酸メチル、テレビン油（テルペンチン）、及びこれらの混合物である。皮膚漂白剤の例はヒドロキノンである。
【０２１８】
希釈剤の例としては、ケイ素含有希釈剤、例えば、ヘキサメチルジシロキサン、オクタメチルトリシロキサン、及びその他の短鎖直鎖状シロキサン、例えば、オクタメチルトリシロキサン、デカメチルテトラシロキサン、ドデカメチルペンタシロキサン、テトラデカメチルヘキサシロキサン、ヘキサデアメチルヘプタシロキサン（ｈｅｘａｄｅａｍｅｔｈｙｌｈｅｐｔａｓｉｌｏｘａｎｅ）、ヘプタメチル−３−｛（トリメチルシリル）オキシ）｝トリシロキサン、環状シロキサン、例えば、ヘキサメチルシクロトリシロキサン、オクタメチルシクロテトラシロキサン、デカメチルシクロペンタシロキサン、ドデカメチルシクロヘキサシロキサン、有機希釈剤、例えば、酢酸ブチル、アルカン、アルコール、ケトン、エステル、エーテル、グリコール、グリコールエーテル、及びハイドロフルオロカーボンが挙げられる。炭化水素としては、イソドデカン、イソヘキサデカン、Ｉｓｏｐａｒ  Ｌ（Ｃ１１−Ｃ１３）、Ｉｓｏｐａｒ  Ｈ（Ｃ１１−Ｃ１２）、水素添加ポリデセンが挙げられる。エーテル及びエステルとしては、イソデシルネオペンタノエート、ネオペンチルグリコールヘプタノエート、グリコールジステアラート、ジカプリリルカーボネート、ジエチルヘキシルカーボネート、プロピレングリコールｎブチルエーテル、エチル−３エトキシプロピオネート、プロピレングリコールメチルエーテルアセテート、トリデシルネオペンタノエート、プロピレングリコールメチルエーテルアセテート（ＰＧＭＥＡ）、プロピレングリコールメチルエーテル（ＰＧＭＥ）、オクチルドデシルネオペンタノエート、ジイソブチルアジペート、ジイソプロピルアジペート、プロピレングリコールジカプリレート／ジカプレート、及びオクチルパルミテートが挙げられる。更なる有機希釈剤としては、脂肪、油、脂肪酸、及び脂肪族アルコールが挙げられる。
【０２１９】
上記のパーソナルケア組成物中のフルイド組成物の量は、パーソナルケア組成物の１００重量部に対し約０．１〜９５、０．２〜５０、又は０．５〜２５重量％の範囲で変更することができる。パーソナルケア原料は、一般的に、パーソナルケア組成物の１００重量部に対し約０．０１〜９９．９９重量％の範囲の量で存在する。異なるパーソナルケア原料の組み合わせを使用することもできる。上記の値間に含まれる任意の値及びあらゆる値又は値範囲も利用できることが想到される。
【０２２０】
パーソナルケア組成物は、クリーム、ゲル、粉末（自由流動粉末又は圧縮粉末）、ペースト、固体、自由に注入可能な液体、又はエアゾールの形態であってよい。パーソナルケア組成物は、単相系、二相系若しくは多相系、例えば、水中油型、油中水型、水中シリコーン型、シリコーン中水型のエマルジョン、例えば、油中水中油型、水中シリコーン中ポリオール型、シリコーン中水中油型の多重エマルジョンの形態であってよい。
【０２２１】
スキンケア組成物としては、シャワーゲル、石鹸、ヒドロゲル、クリーム、ローション及びバーム、制汗剤及びデオドラント、例えば、スティック、軟固体、ロールオン、エアゾール、及びポンプスプレーなど、スキンクリーム、スキンケアローション、保湿剤、しわ調節又はしわ低減トリートメントなどのフェイシャルトリートメント、角質除去剤、ボディ及びフェイシャルクレンザー、バスオイル、香料、コロン、サシェ、日焼け止め剤、ムース、パッチ、プレシェーブローション及びアフターシェーブローション、シェービングソープ、シェービング用の泡、脱毛剤、メークアップ類、カラー化粧品、ファンデーション、コンシーラー、頬紅、リップスティック、アイライナー、マスカラ、オイルリムーバー、カラー化粧料リムーバー、パウダー類、及びこれらのキット類が挙げられる。
【０２２２】
ヘアケア組成物としては、シャンプー、リンスオフコンディショナー（ｒｉｎｓｅ−ｏｆｆ  ｃｏｎｄｉｔｉｏｎｅｒ）、リーブインコンディショナー（ｌｅａｖｅ−ｉｎ  ｃｏｎｄｉｔｉｏｎｅｒ）、及びスタイリング助剤、ゲル、スプレー、ポマード、ムース、ワックス、染毛剤、毛髪軟化剤（ｈａｉｒ  ｒｅｌａｘａｎｔｓ）、毛髪縮毛矯正剤（ｈａｉｒ  ｓｔｒａｉｇｈｔｅｎｅｒｓ）、パーマメント、及びこれらのキットが挙げられる。
【０２２３】
ネイルケア組成物としては、カラーコート、ベースコート、キューティクルコート、ネイルハードナー、及びこれらのキットが挙げられる。
【０２２４】
ヘアケア組成物は、軟膏、クリーム、ゲル、ムース、ペースト、パッチ、密封包帯（ｓｐｒａｙ  ｏｎ  ｂａｎｄａｇｅｓ）、フォーム、及び／又はエアゾールなど、にきび予防、歯科衛生、抗生物質、治癒促進を含む医薬クリーム、ペースト、スプレー（これらは、予防及び／又は治療用医薬であってよい）、並びにこれらのキットの形態であってよい。
【０２２５】
パーソナルケア組成物は、標準的な方法、例えば、組成物をヒト又は動物の身体、例えば、皮膚又は毛髪に、アプリケータ、ブラシを用いて塗布する、手によって塗布する、流しかける、及び／又は場合によっては組成物を身体上若しくは体内に擦り込む若しくはマッサージすることによって使用することができる。
【０２２６】
パーソナルケア組成物は、典型的に、皮膚又は毛髪の所望の領域に、皮膚又は毛髪に十分な洗浄又はコンディショニングをもたらすのに十分な量で塗布され得る。パーソナルケア組成物は、局所塗布の前、中、又は後に水で希釈してもよく、次いで、塗布された領域からすすぎ落とす又は拭き取るが、例えば、水を用いて又は水と水不溶性基剤とを併用して塗布された表面からすすぎ落とす。
【０２２７】
パーソナルケア組成物は、従来の方法で毛髪に使用することができる。毛髪の洗浄又はコンディショニング用の組成物の有効量を毛髪に塗布する。有効量は、一般的には約１〜５０グラムの範囲である。毛髪への適用は、典型的には、毛髪の大部分又は全てをパーソナル組成物と接触させるように、毛髪全体にパーソナルケア組成物を作用させる工程を含む。これらの工程は、所望の効果を達成するために必要に応じて多数回繰り返すことができる。
【０２２８】
毛髪にパーソナルケア組成物を使用することから得られる利点は、以下の利点のうちの１つ以上を含む：保色、着色工程での改善、ヘアコンディショニング、柔らかさ、もつれた髪のほぐし易さ、シリコーン付着、静電防止、縮れ防止、なめらかさ、光沢、強度増加、粘度、触感、濡れた髪の櫛通り、乾燥時の櫛通り、縮毛矯正、熱保護、スタイリング、及びカール保持。
【０２２９】
パーソナルケア組成物は、従来の方法で皮膚に使用することができる。目的にかなうパーソナルケア組成物の有効量を皮膚に塗布する。有効量は、一般的には約１〜３ｍｇ／ｃｍ２の範囲である。皮膚に対する塗布は、一般的には、所望の効果を達成するのに望ましい回数で、パーソナルケア組成物を皮膚に作用させることを含む。
【０２３０】
皮膚に対しパーソナルケア組成物を使用することにより得られる効果には、次の効果のうちの１種以上が含まれる：様々な処方の安定化（ｏ／ｗ、ｗ／ｏ、無水）、乳化剤としての使用、疎水性の程度、有機物とのなじみ、持続性／耐久性、洗い流し耐性、皮脂との相互作用、顔料の性能発揮、ｐＨ安定化、皮膚軟化、柔軟性、保湿、肌ざわり、長期安定化、もちがよくなる、色均一性の長期安定化、発色強化、泡形成、光学効果（ソフトフォーカス）、及び活性剤の安定化。
【０２３１】
パーソナルケア組成物は、毛髪を洗浄し、コンディショニングし、リフレッシュし、メークアップし、メークアップを除去し、整えるために、ケラチン基質の手入れに使用することができる。
【０２３２】
任意選択的な追加の構成成分（複数可）：
パーソナルケア組成物及び／又は組成物は、（ｉ）有機化合物、（ｉｉ）ケイ素原子含有化合物、（ｉｉｉ）有機化合物の混合物、（ｉｖ）ケイ素原子含有化合物の混合物、又は（ｖ）有機化合物とケイ素原子含有化合物との混合物などの、他の材料を溶解し、懸濁し、又はその物理特性を変更するために工業規模で使用される溶媒も含んでもよい。
【０２３３】
一般的に、有機化合物は、芳香族炭化水素、脂肪族炭化水素、アルコール、アルデヒド、ケトン、アミン、エステル、エーテル、グリコール、グリコールエーテル、アルキルハロゲン化物、又は芳香族ハロゲン化物である。いくつかの一般的な有機溶媒の代表例は、アルコール、例えば、メタノール、エタノール、１−プロパノール、シクロヘキサノール、ベンジルアルコール、２−オクタノール、エチレングリコール、プロピレングリコール、及びグリセロールなど、脂肪族炭化水素、例えば、ペンタン、シクロヘキサン、ヘプタン、ＶＭ＆Ｐ溶剤、及びミネラルスピリットなど、アルキルハロゲン化物、例えば、クロロホルム、四塩化炭素、パークロロエチレン、塩化エチル、及びクロロベンゼンなど、アミン、例えば、イソプロピルアミン、シクロヘキシルアミン、エタノールアミン、及びジエタノールアミンなど、芳香族炭化水素、例えば、ベンゼン、トルエン、エチルベンゼン、及びキシレンなど、エステル、例えば、酢酸エチル、酢酸イソプロピル、アセト酢酸エチル、酢酸アミル、イソ酪酸イソブチル、及び酢酸ベンジルなど、エーテル、例えば、エチルエーテル、ｎ−ブチルエーテル、テトラヒドロフラン、及び１，４−ジオキサンなど、グリコールエーテル、例えば、エチレングリコールモノメチルエーテル、エチレングリコールモノメチルエーテルアセテート、ジエチレングリコールモノブチルエーテル、及びプロピレングリコールモノフェニルエーテルなど、ケトン、例えば、アセトン、メチルエチルケトン、シクロヘキサノン、ジアセトンアルコール、メチルアミルケトン、及びジイソブチルケトンなど、石油系炭化水素、例えば、鉱物油、ガソリン、ナフサ、灯油、軽油、重油、及び原油など、並びに脂肪油、例えば、トウモロコシ油、大豆油、オリーブ油、菜種油、綿実油、イワシ油、ニシン油、及び鯨油などである。
【０２３４】
アセトニトリル、ニトロメタン、ジメチルホルムアミド、プロピレンオキシド、リン酸トリオクチル、ブチロラクトン、フルフラール、松根油、テレビン油、及びｍ−クレオソールなどの、「他の」種々の有機溶媒もまた使用することができる。
【０２３５】
溶媒はまた、揮発性の着香料を含んでもよく、これには、冬緑油、ペパーミント油、スペアミント油、メントール、バニラ、桂皮油、丁子油、ベイ油、アニス油、ユーカリ油、タイム油、ニオイヒバ油、ナツメグ油、セージ油、カッシア油、ココア、カンゾウ、高フルクトースコーンシロップ、レモン、オレンジ、ライム、及びグレープフルーツなどの柑橘油、フルーツエッセンス、例えば、リンゴ、西洋ナシ、モモ、ブドウ、イチゴ、ラズベリー、サクランボ、プラム、パイナップル、及びアンズなど、並びに、酢酸シンナミル、桂皮アルデヒド、ギ酸オイゲニル、ｐ−メチルアニソール、アセトアルデヒド、ベンズアルデヒド、アニスアルデヒド、シトラル、ネラール、デカナール、バニリン、トリルアルデヒド、２，６−ジメチルオクタナール、及び２−エチルブチルアルデヒドなどのアルデヒド及びエステルを含む他の有用な着香料が含まれる。
【０２３６】
更に、溶剤はまた、天然物及び香油などの揮発性の芳香剤を含んでよい。天然物及び香油のいくつかの代表例は、アンバーグリース、ベンゾイン、シベット、クローブ、葉油、ジャスミン、マテ、ミモザ、ジャコウ、ミルラ、オリス、ビャクダン油、及びベチバー油、香料、例えば、アミルサリチレート、アミルシンナムアルデヒド、ベンジルアセタート、シトロネロール、クマリン、ゲラニオール、イソボルニルアセタート、アンブレット、及びテルピニルアセテート、並びに様々な伝統的な分類（ｃｌａｓｓｉｃ  ｆａｍｉｌｙ）の香油、例えば、フローラルブーケファミリー、オリエンタルファミリー、シプレーファミリー、ウッディファミリー、シトラスファミリー、カヌーファミリー（ｃａｎｏｅ  ｆａｍｉｌｙ）、レザーファミリー、スパイスファミリー、及びハーバルファミリーである。
【０２３７】
パーソナルケア組成物及び／又は組成物は、１つ以上の非限定的な実施形態における参照により本願に明示的に援用されるＰＣＴ／ＵＳ１５／０２４９０５（Ａｔｔｙ．Ｄｏｃｋｅｔ  Ｎｏ．ＤＣ１１８７３  ＰＣＴ  １）及びＰＣＴ／ＵＳ１５／０２４８８６（Ａｔｔｙ．Ｄｏｃｋｅｔ  Ｎｏ．ＤＣ１１９０１  ＰＣＴ  １）に記載の１種以上の成分も含み得る。
【０２３８】
パーソナルケア組成物の形成方法：
本開示は、パーソナルケア組成物を形成する方法も提供する。方法は、上記のとおりのパーソナルケア製品又は任意のその他の同様の化合物を組成物と組み合わせることを含む。パーソナルケア製品は、環状シロキサンとポリオルガノシロキサンとの反応の前、反応中、及び／又は反応後に存在させることができることは想到される。一実施形態において、組成物は、個別に調製された後で、パーソナルケア組成物原料と組み合わせられる。ある種のパーソナルケア原料を流体反応工程（すなわち、ヒドロシリル化反応生成物の形成）時に含ませることができるものの、反応抑制、原料の温度感受性などの様々な因子を制御する必要があり得る。パーソナルケア組成物の形成を容易にするための混合技術、コールドブレンド、又は加熱が挙げられるがこれらに限定されない、パーソナルケア処方の形成について当業界で公知の技術を使用することができる。本明細書で使用する添加順は当業界で公知のものであってもよい。
【実施例】
【０２３９】
本開示のフルイド組成物を示す以下の実施例は、本発明を説明するものであり、本発明を限定するものではない。
【０２４０】
粘液様フルイドを区別するレオロジー挙動としては、一般的に、例えば、少量のフルイドを指と指の間にはさみ、それらの指を離したときに、フルイドが長い糸を形成する、「曳糸」挙動が挙げられる。これにより、破断するまでに非常に長い距離を伸長し得るフルイドの糸が生成されることから、このタイプの挙動には用語「粘液様」が最初に使用されるようになった（かかる用語は、粘液（ｍｕｃｕｓ又はｐｈｌｅｇｍ）に似ている材料を指す）。
【０２４１】
粘液様フルイドの別のレオロジー挙動には、これらのフルイドにせん断応力をかけたときの垂直抗力の生成がある。垂直抗力は、せん断応力の方向に対し垂直な方向に生成される力である。この挙動を図３に例示する。
【０２４２】
図３は、第１の粘液様フルイド組成物及び第１のポリジメチルシロキサン（「ＰＤＭＳ」）のせん断速度の関数として垂直応力を示す折れ線グラフである。このデータは、平板（レオメータに取り付けられている）と、ロードセルに取り付けられた固定プレートと、の間にフルイドが保持される応力制御型レオメータにより作製された。ディスクサンプルに取り付けたシャフトに、大きさを調節して力（トルク）を加え、せん断応力をかけた。試験中、トルクを増大させて、速度を漸増させながらディスクを回転させて、せん断速度として記録した。フルイドサンプルにせん断応力がかけられるにつれ、垂直抗力はロードセルにより記録される。
【０２４３】
このデータは、ＰＤＭＳ（１，０００ｃＳｔ）と、粘液様フルイド（Ｄ５に分散させた１５％の粘液様フルイド）との間の差を明確に示す。粘液様フルイドは、加えるせん断応力量を増大させたときに顕著な垂直抗力を展開したのに対し、ＰＤＭＳは展開しなかった。
【０２４４】
このレオロジー挙動は、これらの粘液様フルイドを皮膚に対し擦り込んだときに観察される、著しい潤滑効果に関連すると考えられる。擦り込み動作によりフルイドフィルムには高レベルのせん断応力が加えられ、かかるせん断応力により、フルイドフィルムの、刷り込まれるにつれ薄くなっていくという性質に抵抗する垂直抗力が生成される。フィルムが厚くなるほど、潤滑効果は強くなる。
【０２４５】
このような粘液様の挙動は、図１及び図２に示すとおり、本開示のオルガノビニルシクロシロキサンを使用して得た。図１は、反応中に過剰にビニル基を存在させて、環状シロキサンとポリオルガノシロキサンとを使用し分枝状オルガノポリシロキサンを形成する、本開示の非限定的反応を示す、一般的な反応スキームである。図２は、反応中に過剰にケイ素結合水素原子（ＳｉＨ）を存在させて、環状シロキサンとポリオルガノシロキサンとを使用し分枝状オルガノポリシロキサンを形成する、本開示の別の非限定的反応を示す、一般的な反応スキームである。
【０２４６】
過剰なビニル基を有する処方は、最終成分の反応性が低くなることから概して望ましい。例えば、過剰なＳｉＨは、水素ガスを形成する可能性がある。本開示のフルイド組成物は、以下実施例１において形成される。
【０２４７】
実施例１：粘液様フルイド組成物−固体分７．５％
反応フラスコに、以下の原材料を投入した：０．１０ｇのメチルビニル環状（テトラメチルテトラビニルシクロテトラシロキサン）、１４．５４ｇのＭＨＤ３５０ＭＨ、１８４．９２ｇの２ｃＳｔポリジメチルシロキサン（ＰＤＭＳ）、及び０．０８０ｇの白金触媒溶液（Ｐｔは総バッチサイズに対し約２．０ｐｐｍとなる）。撹拌を開始し、反応フラスコを７５℃に加熱した。約４時間の反応時間後、反応混合物の粘性が上昇したことから撹拌を停止した。生成物を、更に２時間にわたり７５℃に保持し静置した。
【０２４８】
反応が完了したならば、生成物を室温に放冷した後、特性評価した。この材料を、力制御型レオメータのＴＡ  Ｉｎｓｔｒｕｍｅｎｔｓ  ＡＲ  １０００−Ｎで測定した。図４は、実施形態１の粘液様フルイド組成物のせん断速度の関数として垂直応力を示す折れ線グラフである。図４は、垂直応力が、式ｙ＝３．６ｘ［式中、ｙは垂直応力（Ｐａ）であり、ｘはせん断速度である（ｉｎ  １／ｓｅｃ）］を使用して作成した限界線を超過していることを明示する。概して、本開示の目的のための粘液様フルイドであるとしてみなすには、垂直応力のせん断速度に対するプロットが限界線を超過している必要がある。
【０２４９】
本願明細書で使用される用語「含む」（ｃｏｍｐｒｉｓｉｎｇ又はｃｏｍｐｒｉｓｅ）は、これらの広い意味で、「含む」（ｉｎｃｌｕｄｉｎｇ、ｉｎｃｌｕｄｅ）、「実質的に．．．からなる」（ｃｏｎｓｉｓｔ（ｉｎｇ）ｅｓｓｅｎｔｉａｌｌｙ  ｏｆ）、及び「．．．からなる」（ｃｏｎｓｉｓｔ（ｉｎｇ）ｏｆ）を包含する。説明的な実例を列挙するための「例えば」（ｆｏｒ  ｅｘａｍｐｌｅ）、「など」（ｅ．ｇ．）、「などの」（ｓｕｃｈ  ａｓ）、及び「を含む」（ｉｎｃｌｕｄｉｎｇ）の使用によって、列挙された例だけに限定するものではない。したがって、「例えば」（ｆｏｒ  ｅｘａｍｐｌｅ）又は「などの」（ｓｕｃｈ  ａｓ）は、「例えば．．．だが、．．．に限定されない」（ｆｏｒ  ｅｘａｍｐｌｅ，  ｂｕｔ  ｎｏｔ  ｌｉｍｉｔｅｄ  ｔｏ）又は「．．．などの．．．だが、．．．に限定されない」（ｓｕｃｈ  ａｓ，  ｂｕｔ  ｎｏｔ  ｌｉｍｉｔｅｄ  ｔｏ）という意味であり、他の同様又は同などの例を包含する。本願明細書で使用される用語「約」（ａｂｏｕｔ）は、機器分析によって測定された数値のわずかな変動、又はサンプルの取扱いの結果による数値のわずかな変動を、合理的に包含又は表すためのものである。このようなわずかな変動は、数値の±０〜１０、±０〜５、又は±０〜２．５％であり得る。更に、用語「約」（ａｂｏｕｔ）は、数値の範囲が関係する場合は、両方の数値に適用される。また、用語「約」（ａｂｏｕｔ）は、明示的に言及されない場合でも、数値に適用される。
【０２５０】
本明細書で使用するとき、用語「周囲温度」又は「室温」は、約２０〜３０℃の温度を指す。通常、「室温」は、約２０〜２５℃の範囲である。本明細書で言及される全ての粘度測定値は、別途記載のない限り２５℃下で測定されたものである。一般的に、本明細書で使用するとき、値の範囲において、ハイフン「−」又はダッシュ「−」は、「〜」、又は「から」である。「超（＞）」は「を超える」（ａｂｏｖｅ）又は「より大きい」（ｇｒｅａｔｅｒ−ｔｈａｎ）；「≧」は「少なくとも」（ａｔ  ｌｅａｓｔ）又は「以上」（ｇｒｅａｔｅｒ−ｔｈａｎ  ｏｒ  ｅｑｕａｌ  ｔｏ）；「未満（＜）」は「より小さい」（ｂｅｌｏｗ）又は「未満」（ｌｅｓｓ−ｔｈａｎ）；並びに、「≦」は「最大」（ａｔ  ｍｏｓｔ）又は「以下」（ｌｅｓｓ−ｔｈａｎ  ｏｒ  ｅｑｕｅｌ  ｔｏ）である。
【０２５１】
本明細書で使用するとき、用語「分枝状」は、ポリマーが末端基を２つよりも多く有することを示す。別の基、例えば炭化水素基に関し使用されるとき、用語「置換された」は、別途記載のない限り、炭化水素基中の１個以上の水素原子が別の置換基により置き換えられていることを意味する。このような置換基の例としては、ハロゲン原子、例えば、塩素、フッ素、臭素、及びヨウ素、ハロゲン原子含有基、例えば、クロロメチル、ペルフルオロブチル、トリフルオロエチル、及びノナフルオロヘキシル、酸素原子、酸素原子含有基、例えば、（メタ）アクリル酸及びカルボキシル、窒素原子、窒素原子含有基、例えば、アミン、アミノ官能基、アミド官能基、及びシアノ官能基、硫黄原子、並びにメルカプト基などの硫黄原子含有基が挙げられる。
【０２５２】
前述の特許出願、特許、及び／又は特許出願公開のそれぞれは、個別に、その全体が、本願明細書において参照により１つ以上の非限定的実施形態において明示的に援用される。
【０２５３】
添付の請求項が、発明を実施するための形態に記述された、明示かつ特定の化合物、組成物、又は方法に限定されることはなく、それらが添付の請求の範囲内に含まれる特定の実施形態間で変化できることを理解するべきである。様々な実施形態の特定の特徴又は態様を記載するために本明細書が依拠するマーカッシュ群に関して、他の全てのマーカッシュ要素から独立したそれぞれのマーカッシュ群の各要素から、異なる、特別な及び／又は予期しない結果が得られる可能性があることが理解されるべきである。マーカッシュ群の各要素は、添付の特許請求の範囲内の特定の実施形態が個別に及び／又は組み合わせて依拠することがあり、適切な根拠を提供する。
【０２５４】
また、本発明の種々の実施形態を記載する際に依存する任意の範囲及び部分範囲が、添付の特許請求の範囲内に個別かつ集合的に入ることも理解されるべきであり、またかかる値が明白に記載されていない場合でも、全体及び／又は部分値を含む全ての範囲を記載し、考慮することが理解される。計数範囲及び部分範囲が、本発明の様々な実施形態を十分に記述しかつ可能にし、かかる範囲及び部分範囲が、更に、関連する２分の１、３分の１、４分の１、５分の１などに詳述されてよいことを当業者は容易に理解する。ほんの一例として、範囲「０．１〜０．９」は、下の方の３分の１、即ち、０．１〜０．３、中間の３分の１、即ち、０．４〜０．６、及び上の方の３分の１、すなわち、０．７〜０．９に更に詳述でき、これらは、個別的かつ集合的に添付の特許請求の範囲内であり、添付の特許請求の範囲内の特定の実施形態が個別的及び／又は集合的に依拠することがあり、適切な根拠を提供し得る。更に、「少なくとも」、「より大きい」、「未満」、「以下」などの範囲を定義又は修飾する用語に関して、かかる用語が部分範囲及び／又は上限若しくは下限を含むことを理解されたい。別の例として、「少なくとも１０」の範囲は、本質的に、少なくとも１０〜３５の部分範囲、少なくとも１０〜２５の部分範囲、２５〜３５の部分範囲などを含み、各部分範囲は、添付の特許請求の範囲内の特定の実施形態が個別的及び／又は集合的に依拠することがあり、適切な根拠を提供する。最終的には、開示された範囲内の個々の数は、添付の特許請求の範囲内の特定の実施形態が依拠することがあり、適切な根拠を提供する。例えば、範囲「１〜９」は、様々な個々の整数、例えば、３、並びに小数点（又は分数）を含む個別の数、例えば、４．１を含み、これは添付の特許請求の範囲内の特定の実施形態が依拠することがあり、適切な根拠を提供する。
【０２５５】
本発明は、本明細書に例示的な方法にて記述されており、使用された用語は限定よりもむしろ説明的な言葉の性質を持つことを意図していると理解すべきである。本発明の多くの修正及び変更が上記教示から可能である。本発明は、添付の特許請求の範囲に具体的に記載されているものとは別の方法で実施されてもよい。独立請求項、並びに単一及び複数の従属の両方の従属請求項の全ての組み合わせの主題が、本明細書において明示的に企図される。
【図１】
2018512491.tif 000017
【図２】
2018512491.tif 000018
【図３】
2018512491.tif 000019
【図４】
2018512491.tif 000020
【手続補正書】
【提出日】平成29年11月15日(2017.11.15)
【手続補正１】
【補正対象書類名】特許請求の範囲
【補正対象項目名】全文
【補正方法】変更
【補正の内容】
【特許請求の範囲】
【請求項１】
Ａ）
ａ）１分子当たり少なくとも２つのケイ素結合アルケニル基を有する環状シロキサンと、
ｂ）１分子当たり少なくとも２個のケイ素結合水素原子を有するポリオルガノシロキサンとの、
ヒドロシリル化触媒の存在下で反応することで、分枝状オルガノポリシロキサンを形成するステップ、及び
Ｂ）（Ａ）において形成された分枝状オルガノポリシロキサンと、キャリアフルイドとを組み合わせるステップ、
を含むフルイド組成物の製造方法であって、前記フルイド組成物が、２３℃にて少なくとも１００ｍＰａ・ｓの粘度を有し、粘液様のレオロジー特性を示す、方法。
【請求項２】
構成成分Ａ）を形成するべく反応させる前の、構成成分ａ）のケイ素結合アルケニル基の、構成成分ｂ）のケイ素結合水素原子に対するモル比が、約０．５／１〜約２．５／１である、請求項１に記載の方法。
【請求項３】
構成成分ａ）が、式：
［Ｒ１Ｒ２ＳｉＯ］ｇ
［式中、各Ｒ１は、独立して選択された置換若しくは非置換ヒドロカルビル基であり、各Ｒ２は、１分子中、少なくとも２つのＲ２基はアルケニル基であるという条件で、Ｒ１又はアルケニル基であり、「ｇ」は３以上である］を有する、請求項１に記載の方法。
【請求項４】
ｉ）各Ｒ１が、独立して選択されたＣ１〜Ｃ６アルキル基であり、及び／又は
ｉｉ）各Ｒ２が、独立して選択されたＣ２〜Ｃ１２アルケニル基であり、及び／又は
ｉｉｉ）「ｇ」が、３〜１０である、請求項３に記載の方法。
【請求項５】
「ｇ」が３〜６である、請求項３に記載の方法。
【請求項６】
構成成分ｂ）が、式：
（Ｒ２ＨＳｉＯ１／２）ｖ（Ｒ２ＳｉＯ２／２）ｘ
［式中、各Ｒは、独立して選択された置換若しくは非置換ヒドロカルビル基であり、「ｖ」は２以上であり、「ｘ」は５０以上である］のシロキシ単位を含む、請求項１に記載の方法。
【請求項７】
ｉ）各Ｒ１が、独立して選択されたＣ１〜Ｃ６アルキル基であり、及び／又は
ｉｉ）「ｖ」が２であり、及び／又は
ｉｉｉ）「ｘ」が１００以上であり、あるいは「ｘ」が１５０〜１０，０００である、請求項６に記載の方法。
【請求項８】
前記構成成分ｂ）のケイ素結合水素原子が末端である、請求項１に記載の方法。
【請求項９】
構成成分Ａ）が、前記フルイド組成物１００重量部に対し約０．１重量％〜約５０重量％の量で存在する、請求項１に記載の方法。
【請求項１０】
構成成分Ｂ）が、シリコーン、有機溶媒、有機油、及びこれらの組み合わせからなる群から選択される、請求項１に記載の方法。
【請求項１１】
構成成分Ｂ）が、前記フルイド組成物１００重量部に対し約５０重量％〜約９９．９重量％の量で存在する、請求項１に記載の方法。
【請求項１２】
Ａ）
ａ）式
［Ｒ１Ｒ２ＳｉＯ］ｇ
［式中、各Ｒ１は独立して選択されたＣ１〜Ｃ６アルキル基であり、各Ｒ２は、１分子中、少なくとも２つのＲ２基はアルケニル基であるという条件で、Ｒ１又はＣ２〜Ｃ１２アルケニル基であり、「ｇ」は３〜８である］を有する環状シロキサンと、
ｂ）式；
（Ｒ２ＨＳｉＯ１／２）ｖ（Ｒ２ＳｉＯ２／２）ｘ
［式中、各Ｒは、独立して選択されたＣ１〜Ｃ６アルキル基であり、「ｖ」は、２以上であり、「ｘ」は、５０以上である］のシロキシ単位を含むポリオルガノシロキサンとの、
ヒドロシリル化触媒の存在下での反応応により形成される、約０．１重量％〜約５０重量％の分枝状オルガノポリシロキサンであって、
構成成分Ａ）を形成するべく反応させる前の、構成成分ａ）のケイ素結合アルケニル基の、構成成分ｂ）のケイ素結合水素原子に対するモル比は、約０．５／１〜約２．５／１である分枝状オルガノポリシロキサンと、
Ｂ）シリコーン、有機溶媒、有機油、及びこれらの組み合わせからなる群から選択された、約５０重量％〜９９．９重量％のキャリアフルイドと、を組み合わせるステップを含む、フルイド組成物の製造方法であって、
前記フルイド組成物が、２３℃にて少なくとも１００ｍＰａ・ｓの粘度を有し、粘液様のレオロジー特性を示す、方法。
【請求項１３】
ｉ）各Ｒ及びＲ１がメチル基であり、各Ｒ２がビニル基であり、「ｇ」が４であり、「ｖ」が２であり、「ｘ」が１５０〜１０，０００である、
ｉｉ）前記キャリアフルイドがシリコーンを含む、
ｉｉｉ）構成成分Ａ）を形成するべく反応させる前の、構成成分ａ）のケイ素結合アルケニル基の、構成成分ｂ）のケイ素結合水素原子に対するモル比が、約０．９／１〜約２．２／１である、請求項１２に記載の方法。
【請求項１４】
前記フルイド組成物のレオロジー特性が、垂直抗力（パスカル）の垂直方向のせん断速度（ｓｅｃ−１）に対するプロットとして求められ、該プロットの傾きの平均が３．６超である、請求項１に記載の方法。
【請求項１５】
請求項１に記載のフルイド組成物を含む、パーソナルケア組成物。
【国際調査報告】
2018512491.tif 000021
2018512491.tif 000022